(57)【要約】【課題】  液晶表示素子の連続製造における精度及びスピードを高め、歩留向上を抜本的に解決する。【解決手段】  液晶表示素子を連続製造する装置において用いられる情報格納読出演算システムであって、粘着層を含む偏光フィルムと粘着層に剥離自在に積層されたキャリアフィルムとを含む連続状光学フィルムに含まれる偏光フィルムの検査によって検出された欠点に関する情報を記憶させた情報格納媒体と、識別標識が付与された連続状検査済み光学フィルムの積層体ロールと、識別標識に基づいて情報格納媒体から読み出される欠点情報を用いて欠点を含む不良シート片を画定する不良シート片切断位置と欠点を含まない正常シート片を画定する正常シート片切断位置とを演算する切断位置演算手段とを含む情報格納読出演算システム、及び、前記情報格納読出演算システムの製造方法である。【選択図】  図１０
2011085631.tif 000002
【特許請求の範囲】
【請求項１】
所定寸法に形成された液晶パネルの長辺又は短辺に合わせた幅を有する粘着層を含む連続状偏光フィルムと前記粘着層に剥離自在に積層された連続状キャリアフィルムとを含む連続状光学フィルムの積層体ロールから液晶パネルの長辺又は短辺に対応する所定長さに切り出されたシート片を液晶パネルに貼り合せて液晶表示素子を連続製造する装置において用いられる情報格納読出演算システムであって、
連続状光学フィルムに含まれる連続状偏光フィルムの検査によって検出された欠点に関する情報を記憶させた情報格納媒体と、
識別標識が付与された連続状検査済み光学フィルムの積層体ロールと、
前記識別標識に基づいて前記情報格納媒体から読み出される欠点情報と、前記積層体ロールから前記連続状検査済み光学フィルムが繰り出されるときの繰出量に基づいて算出される測長データとを用いて、欠点を含む不良シート片を画定する不良シート片切断位置と欠点を含まない正常シート片を画定する正常シート片切断位置とを演算する、切断位置演算手段と、
を含み、それにより、
液晶表示素子を連続製造する装置において、前記不良シート片切断位置及び前記正常シート片切断位置に基づいて、前記連続状検査済み光学フィルムに連続状キャリアフィルムとは反対の側から連続状キャリアフィルムの粘着層側の面に達する深さまで、前記連続状検査済み光学フィルムの送り方向に対して直角方向に切り込みを入れて、正常シート片を切り出すことができるようにしたことを特徴とする、情報格納読出演算システム。
【請求項２】
連続状検査済み光学フィルムは、連続状偏光フィルムの粘着層側でない面に剥離自在に積層される連続状表面保護フィルムをさらに含むことを特徴とする、請求項１に記載の情報格納読出演算システム。
【請求項３】
所定寸法に形成された液晶パネルの長辺又は短辺に合わせた幅を有する粘着層を含む連続状偏光フィルムと前記粘着層に剥離自在に積層された連続状キャリアフィルムとを含む連続状光学フィルムの積層体ロールから、長手方向に対して直角方向の線に沿って切り込むことにより液晶パネルの長辺又は短辺に対応する所定長さに切り出されたシート片を液晶パネルに貼り合せて液晶表示素子を連続製造する装置において用いられる情報格納読出演算システムを製造する方法であって、
連続状偏光子の少なくとも一面に連続状保護フィルムを積層して連続状偏光フィルムを製造し、連続状偏光フィルムを検査して連続状偏光フィルムに内在する欠点を検出し、連続状偏光フィルムに粘着層を介して連続状キャリアフィルムを剥離自在に積層することによって連続状検査済み光学フィルムを製造し、前記連続状検査済み光学フィルムを識別するための識別標識を生成して前記連続状検査済み光学フィルムに付与し、前記識別標識が付与された前記連続状検査済み光学フィルムをロール状に巻き取ることによって、識別標識が付与された連続状検査済み光学フィルムの積層体ロールを製造するステップと、
検査によって検出された欠点情報を、予め準備された情報格納媒体に記憶させて、欠点情報が記憶された情報格納媒体を製造するステップと、
前記識別標識に基づいて前記情報格納媒体から読み出される前記欠点情報と、前記積層体ロールから前記連続状検査済み光学フィルムが繰り出されるときの繰出量に基づいて算出される測長データとを用いて、欠点を含む不良シート片を画定する不良シート片切断位置と欠点を含まない正常シート片を画定する正常シート片切断位置とを演算するように構成された切断位置演算手段を提供するステップと、
を含むことを特徴する方法。
【請求項４】
積層体ロールを製造する前記ステップは、連続状偏光フィルムの粘着層側でない面に連続状表面保護フィルムを剥離自在に積層するステップをさらに含むことを特徴とする、請求項３に記載の方法。
【請求項５】
積層体ロールを製造する前記ステップは、反射光によって主に連続状偏光フィルムの表面を検査するステップ、光源から照射した光を透過させることによって連続状偏光フィルムに内在する欠点を影として検出するステップ、又は、連続状偏光フィルムと偏光フィルタを、それらの吸収軸がクロスニコルとなるように配置し、これに光源からの光を照射して透過した光を観察することによって連続状偏光フィルムに内在する欠点を輝点として検出するステップのいずれか又はそれらの組合せを含むことを特徴とする、請求項３又は４のいずれかに記載の方法。
【請求項６】
所定寸法に形成された液晶パネルの長辺又は短辺に合わせた幅を有する粘着層を含む連続状偏光フィルムと前記粘着層に剥離自在に積層された連続状キャリアフィルムとを含む連続状光学フィルムの積層体ロールから、長手方向に対して直角方向の線に沿って切り込むことにより液晶パネルの長辺又は短辺に対応する所定長さに切り出されたシート片を液晶パネルに貼り合せて液晶表示素子を連続製造する装置において用いられる情報格納読出演算システムを製造する方法であって、
粘着層を含む連続状偏光フィルムと前記粘着層に剥離自在に積層された連続状仮キャリアフィルムとを含む連続状仮光学フィルムのロールを準備し、前記ロールから前記連続状仮光学フィルムを繰り出しながら前記連続状仮キャリアフィルムを剥離して前記粘着層を含む連続状偏光フィルムを露出させ、露出された前記粘着層を含む連続状偏光フィルムを検査して前記粘着層を含む連続状偏光フィルムに内在する欠点を検出し、前記連続状偏光フィルムの露出された粘着層に連続状キャリアフィルムを剥離自在に積層して連続状検査済み光学フィルムを製造し、前記連続状検査済み光学フィルムを識別するための識別標識を生成して前記連続状検査済み光学フィルムに付与し、前記識別標識が付与された前記連続状検査済み光学フィルムをロール状に巻き取ることによって、識別標識が付与された連続状検査済み光学フィルムの積層体ロールを製造するステップと、
検査によって検出された欠点情報を、予め準備された情報格納媒体に記憶させて、欠点情報が記憶された情報格納媒体を製造するステップと、
前記識別標識に基づいて前記情報格納媒体から読み出される前記欠点情報と、前記積層体ロールから前記連続状検査済み光学フィルムが繰り出されるときの繰出量に基づいて算出される測長データとを用いて、欠点を含む不良シート片を画定する不良シート片切断位置と欠点を含まない正常シート片を画定する正常シート片切断位置とを演算するように構成された切断位置演算手段を提供するステップと、
を含むことを特徴する方法。
【請求項７】
連続状仮キャリアフィルムは、一面に離型処理後に粘着剤を含む溶剤を塗布し乾燥することによって形成された転写可能な粘着層を有することを特徴とする、請求項６に記載の方法。
【請求項８】
連続状キャリアフィルムは、連続状偏光フィルムの露出された粘着層に積層される面に離型処理が施されていることを特徴とする、請求項６又は７のいずれかに記載の方法。
【請求項９】
積層体ロールを製造する前記ステップは、連続状偏光フィルムの粘着層側でない面に連続状表面保護フィルムを剥離自在に積層するステップをさらに含むことを特徴とする、請求項６から８のいずれかに記載の方法。
【請求項１０】
積層体ロールを製造する前記ステップは、反射光によって主に連続状偏光フィルムの表面を検査するステップ、光源から照射した光を透過させることによって連続状偏光フィルムに内在する欠点を影として検出するステップ、又は、連続状偏光フィルムと偏光フィルタを、それらの吸収軸がクロスニコルとなるように配置し、これに光源からの光を照射して透過した光を観察することによって連続状偏光フィルムに内在する欠点を輝点として検出するステップのいずれか又はそれらの組合せを含むことを特徴とする、請求項６から９のいずれかに記載の方法。
【発明の詳細な説明】
【技術分野】
【０００１】
本発明は、本発明は、所定寸法に形成された液晶パネルに対して、該液晶パネル幅に対応する寸法に切り出された偏光フィルムのシート片を貼り合わせて液晶表示素子にする、液晶表示素子の連続製造方法及び装置に関する。より具体的には、本発明は、連続状光学フィルムの検査によって検出された欠点に関する情報を記憶させた情報格納媒体と、識別標識が付与され連続状検査済み光学フィルムの積層体ロールと、情報格納媒体から読み出された欠点の情報に基づいて切断位置を求める切断位置演算手段とを含む、液晶表示素子を連続製造する装置において用いられる情報格納読出演算システム及び情報格納読出演算システムの製造方法に関する。
【背景技術】
【０００２】
液晶パネルＷは、図１に示されるように、画面サイズが対角４２インチの大型テレビ用の液晶パネルを例にとると、縦（５４０〜５６０）ｍｍ×横（９５０〜９７０）ｍｍ×厚み０．７ｍｍ（７００μｍ）程度の矩形のガラス基板で挟持され、透明電極やカラーフィルタ等が配備された５μｍ程度の液晶層から構成される、層状パネルである。液晶パネルＷ自体の厚みは、１．４ｍｍ（１４００μｍ）程度である。液晶表示素子は、通常、その液晶パネルＷの表側（視認側）と裏側（バックライト側）のそれぞれに偏光子と保護フィルムとを含む偏光フィルムのシート片１１’’を貼り合せることによって、生成される。シート片１１’’は、図２に示されるように、積層構造を有する可撓性光学フィルム１０に含まれる偏光フィルム１１から、例えば図１に示されるような寸法となるように成形される。
【０００３】
液晶表示素子の機能において、液晶分子の配向方向と偏光子の偏光方向とは、密接に関連する。液晶表示素子技術は、まずＴＮ（Ｔｗｉｓｔｅｄ  Ｎｅｍａｔｉｃ）型液晶を用いたＬＣＤ（液晶表示装置）が実用化され、その後、ＶＡ（Ｖｅｒｔｉｃａｌ  Ａｌｉｇｎｍｅｎｔ）型液晶、ＩＰＳ（Ｉｎｐｌａｎｅ  Ｓｗｉｔｃｈｉｎｇ）型液晶などを用いたＬＣＤが実用化されるに至った。詳細な技術的説明は省略するが、ＴＮ型液晶パネルを用いたＬＣＤにおいては、液晶分子は、液晶パネルのガラス基板の内面に配されるそれぞれのラビング方向を有する上下２枚の配向膜によって光軸方向に９０°ねじれた状態で配列されており、電圧がかけられると配向膜に垂直に並ぶ。ところが、表示画面の左右からみた像を同じように形成しようとすると、例えば、視認側の配向膜のラビング方向を４５°（他方の配向膜のラビング方向を１３５°）にしなければならない。したがって、それに合わせて、液晶パネルの表側と裏側のそれぞれに貼り合される偏光フィルムのシート片に含まれる偏光子の偏光方向も、表示画面の縦又は横方向に対して４５°方向に傾けて配置されなければならない。
【０００４】
そのため、ＴＮ型液晶パネルの液晶表示素子に貼り合される偏光フィルムのシート片は、上述のような４５°方向の偏光方向を有する偏光子を含む光学フィルムから、ＴＮ型液晶パネルの大きさに合わせて矩形に打ち抜き又は切断加工される必要がある。このことは、例えば、特開２００３−１６１９３５号公報（特許文献１）又は特許第３６１６８６６号公報（特許文献２）に示されている。矩形に加工されるシート片の幅、すなわち、シート片の短辺は光学フィルムの幅より小さいことはいうまでもない。このようにして光学フィルムから矩形に打ち抜き又は切断加工されたシート片を「枚葉型シート片」という。
【０００５】
枚葉型シート片を用いた液晶表示素子の製造においては、枚葉型シート片は、光学フィルムから予め打ち抜き又は切断され、粘着層にセパレータが貼付された状態で矩形状に成形されている。成形された枚葉型シート片は、液晶表示素子製造工程において、マガジンに収容される。マガジンに収容された枚葉型シート片は、液晶パネルＷに貼り合されるときに、例えば吸着搬送装置によって、液晶パネルとの貼合位置に一枚毎に搬送される。枚葉型シート片は、液晶パネルＷに貼り合される前に、形成された粘着層に剥離自在に積層されたセパレータが剥離され、そのことにより露出された粘着層を介して、液晶パネルＷに貼り合される。枚葉型シート片は可撓性であるため、貼り合わせの際には周縁に生じる撓みや反りが問題になる。したがって、枚葉型シート片が用いられる液晶表示素子の製造工程においては、一枚毎のセパレータの剥離動作を容易にし、液晶パネルとの位置合わせと貼り合わせとを精度よく迅速に行うようにするために、撓みや反りが少なく、搬送や貼り合わせがしやすく、ある程度の剛性を有する、四辺が整形された枚葉型シート片を採用せざるを得ない。例えば、枚葉型シート片に、偏光子の片面ではなく両面に４０〜８０μｍ厚程度の保護フィルムを積層して厚みによる剛性を持たせるようにしているのは、そのためである。液晶表示素子を製造する技術の初期段階においては、この光学フィルムのシート片又は該シート片に含まれる偏光フィルムのシート片が、一般的に「偏光板」と呼ばれ、これは今も通称名である。
【０００６】
こうしたＴＮ型の液晶表示素子製造技術においては、打ち抜き又は切断加工工程の後に、成形されたシート片をそのまま液晶パネルに連続的に貼り合せて一連の工程として液晶表示素子を製造することはできない。それは、そのときに用いられる光学フィルムのシート片は、上述のように偏光子の縦又は横方向への延伸による配向方向（すなわち、成形される前の光学フィルムの送り方向又はそれと交わる方向）に対して長辺又は短辺の向きが４５°方向になるように成形されなければならず、そのようにして成形されたシート片は、そのままの同じ姿勢で液晶パネルに連続的に貼り合せることができないためである。特許文献１又は２にみられるように、シート片を液晶パネルに貼り合せるためには、一枚一枚のシート片を、液晶パネルの長辺より幅広の連続状光学フィルムから金型などで光学フィルムの長手方向に対して４５°方向に打ち抜き、液晶パネルとの貼合工程に供給しなければならない。あるいは、用いられる連続状光学フィルムは、相当に広幅の連続状光学フィルムからその長手方向に対して４５°方向に予め打ち抜き又は切断された長尺の光学フィルム、又は、成形された一枚一枚の光学フィルムのシート片がフィルム状につなぎ合された長尺の光学フィルムでなければならない。これらの方法は、いずれにしても枚葉型シート片製造技術の域を出るものではない。
【０００７】
特許文献３は、ＶＡ型液晶やＩＰＳ型液晶などが実用化される以前に適用された技術であり、偏光フィルムを含む光学フィルムを連続的に供給しながら、必要な長さに成形された偏光フィルムのシート片を液晶パネルに順次貼り合せて液晶パネルを生成する装置を開示している。この装置は、ＴＮ型液晶を用いたＬＣＤを製造するラベラー装置である。この装置に用いられる光学フィルムは、相当に幅広の連続状光学フィルムから液晶パネル幅に合わせて偏光フィルムの延伸方向に対して４５°方向に切断加工された一枚の長尺の光学フィルム、又は、そのような一枚一枚の光学フィルムのシート片がフィルム状につなぎ合された長尺の光学フィルムでなければならない。したがって、この装置は、偏光フィルムのシート片を積層構造の連続状光学フィルムから連続的に成形し、ＶＡ型液晶やＩＰＳ型液晶を用いた液晶パネルに貼り合せて液晶表示素子にする製造装置に、直接適用できるものではない。
【０００８】
枚葉型シート片を用いた液晶表示素子の製造の自動化技術については、例えば、特開２００２−２３１５１号公報（特許文献４）に開示されている。可撓性の枚葉型シート片は、端部が湾曲したり垂れたりすることなどによって、撓みや反りが生じやすく、液晶パネルとの位置合わせや貼り合わせにおける精度やスピードにとって大きな技術的障害となっている。そのため、枚葉型シート片には、吸着搬送や液晶パネルへの位置合わせや貼り合わせを容易にすべく、ある程度の厚みと剛性が求められる。例えば、特開２００４−１４４９１３号公報（特許文献５）、特開２００５−２９８２０８号公報（特許文献６）又は特開２００６−５８４１１号公報（特許文献７）に開示されたものは、こうした技術的課題に着目して工夫がなされたものとみることができる。
【０００９】
ＴＮ型液晶パネルに対して、ＶＡ型液晶パネルやＩＰＳ型液晶パネルは、液晶分子がねじれた状態で配列されるものでない。そのため、これらの液晶パネルを用いた液晶表示素子においては、液晶配向状態から得られる視野角特性から、ＴＮ型液晶パネルを用いた場合のように、光学フィルムのシート片の偏光方向を液晶表示素子の長辺又は短辺の向きに対して４５°方向にする必要はない。これらの液晶パネルを用いた液晶表示素子は、偏光軸の方向が液晶パネルの長辺又は短辺と並行で、互いに９０°異なる向きになった光学フィルムのシート片が、液晶パネルの表側と裏側のそれぞれに貼り合されたものである。ＶＡ型液晶パネルやＩＰＳ型液晶パネルにおいて視角特性の対称性及び視認性を考えた場合には、光学フィルムのシート片の偏光軸の方向が最大のコントラストの方向を示すため、光学フィルムのシート片の光学軸は液晶パネルの長辺又は短辺の方向に対して平行である方が好ましい。したがって、これらの液晶パネルに貼り合される光学フィルムのシート片は、縦又は横方向に延伸処理された偏光フィルムを含む連続状光学フィルムを連続的に繰り出し、該連続状光学フィルムの送り方向に対して横方向に切断することによって、光学フィルム幅と同じ幅を有する矩形の光学フィルムのシート片として連続的に成形することができるという利点がある。
【００１０】
大型テレビ用の表示素子に用いられる液晶は、視野角特性を高める観点から、ＴＮ型液晶からＶＡ型液晶やＩＰＳ型液晶へとシフトしている。こうした技術開発環境の変化に伴って、特開２００４−３６１７４１号公報（特許文献８）に示されるように、これらの液晶パネルを前提として生産効率を高めるための提案もなされるようになってきた。特許文献８に開示される技術は、連続状光学フィルムを連続的に繰り出して液晶パネルの大きさに合わせるように光学フィルムを切断し、切断された光学フィルムのシート片を液晶パネルに連続的に貼り合せる技術である。
【００１１】
しかしながら、以下に示すような技術的課題があるため、液晶表示素子の製造は依然として枚葉型シート片製造が主流のままである。液晶表示素子の製造における重要な技術的課題とは、製造される表示素子における欠陥を事前に確認し、不良品を出さないようにすることである。欠陥の多くは、主に連続状光学フィルムに含まれる偏光フィルムに内在する欠点に起因している。ところが、現状では、欠点ゼロの連続状光学フィルムを製造することは極めて困難であるため、積層される個々のフィルムに含まれる欠点を完全に取り除いた状態で連続状光学フィルムを提供することは必ずしも現実的ではない。その一方で、視認できるような傷や欠点は僅かであってもこのような傷や欠点を含む光学フィルムのシート片をテレビ用のシート片として用いることは、液晶表示素子自体の品質維持の観点から許されない。例えば、光学フィルムから成形されたシート片の長辺を約１ｍ程度とすると、事前に欠点部位を取り除くことができない場合には、単純計算で、製造される液晶表示素子１，０００個当たり、２０〜２００個にも及ぶ欠点を含む不良品が発生することになる。
【００１２】
そのため、現状においては、矩形状に区分された光学フィルムの欠点が存在しない正常領域が、同じく矩形状に区分された光学フィルムの欠点が内在する不良領域を適宜回避するように、正常品のシート片（以下、「正常シート片」という。）として連続状光学フィルムから打ち抜かれるか又は切断されることになる。あるいは、正常領域と不良領域との区別をすることなく光学フィルムのシート片を矩形に打ち抜くか又は切断し、そのうちの不良品のシート片（以下、「不良シート片」という。）は、その後の工程で選別され、排除されるように処置するしかない。したがって、製品精度及び製造スピードの両面の限界から、枚葉型シート片製造方法による生産効率を現時点での効率以上に高めることは難しい状況にある。
【００１３】
本出願人は、枚葉型シート片製造の生産効率を少しでも高めることを目的として、例えば、特許第３９７４４００号公報（特許文献９）、特開２００５−６２１６５号公報（特許文献１０）又は特開２００７−６４９８９号公報（特許文献１１）に示されるように、偏光フィルムの事前検査装置を提案してきた。これらの提案は、主に以下の２つの工程を含む。第１の工程では、まず、連続的に供給される連続状光学フィルムの偏光フィルムに内在する欠点を検査し、検出された欠点の位置を画像処理し、画像処理された情報をコード化する。次に、連続状光学フィルムから枚葉型シート片が打ち抜かれたときに切りカスとして残ることになる端部に、コード化された情報を記録装置によって直接印字した後に、連続状光学フィルムを巻き取り、ロールを生成する。第２の工程では、生成されたロールから繰り出された連続状光学フィルムに印字されたコード化情報を読取装置によって読み取り、良否を判定した結果に基づいて欠点箇所にマーキングを付与する。その後、連続状光学フィルムから枚葉型シート片を打ち抜き、予め付与されたマーキング基づいて光学フィルムの枚葉型シート片を正常シート片と不良シート片とに選別する。これらの工程は、枚葉型シート片製造における歩留向上には欠かせない技術的手段であった。
【００１４】
さらに、本出願人は、特開２００７−１４００４６号公報（特許文献１２）において、連続状光学フィルムの積層体ロールから連続的に繰り出される連続状光学フィルム（同文献では「偏光板原反」という。）に含まれるキャリアフィルム（同文献では「離型フィルム」という。）を剥離して粘着層を含む偏光フィルム（同文献では「偏光板」という。）を露出させ、偏光フィルムに内在する欠点を検出した後に、偏光フィルムの欠点箇所を避けて正常領域のみを矩形に打ち抜き、打ち抜かれた正常シート片（同文献では「シート状製品」という。）を他の搬送媒体を用いて液晶パネルとの貼合位置に移送するようにした製造方法を提案している。しかしながら、これは、連続状光学フィルムから成形された光学フィルムの正常シート片をキャリアフィルムによって液晶パネルとの貼合位置まで送ることを実現させたものではない。この技術は、一旦切断された枚葉型シート片を他の搬送媒体に貼り合せて液晶パネルとの貼合位置に移送するようにしたものであり、枚葉型シート片製造の域を出ない液晶表示素子の製造方法と言わざるを得ない。
【００１５】
本出願人は、特許文献１３に示されるように、光学フィルムのシート片を液晶パネルに貼り合せる方法及び装置に関する発明を提案している。この発明は、事前に成形された枚葉型シート片を液晶表示素子の製造工程に持ち込んで液晶パネルに貼り合せる液晶表示素子の製造技術から、液晶表示素子の製造工程において光学フィルムのシート片を連続成形して直接液晶パネルに貼り合せる液晶表示素子の連続製造技術への切換えを可能にした画期的な提案である。
【００１６】
この発明は、液晶表示素子の一連の製造工程に、光学フィルムの不良領域及び正常領域を定める検査のために連続状光学フィルムからキャリアフィルムや表面保護フィルムを一旦剥離する工程と、検査後に代替キャリアフィルムや代替表面保護フィルムを連続状光学フィルムに再び積層する工程とを含むことを特徴とする。これらの工程は、液晶表示素子の連続製造工程において、キャリアフィルムや表面保護フィルムの剥離によって偏光フィルムの粘着層の露出面及び粘着層のない面を保護しながら、内在する欠点検査を行うための必須工程である。しかしながら、これらの工程は、成形された光学フィルムの正常シート片を液晶パネルに貼り合せる方法又は装置全体を相当複雑にするのみならず、工程数を増やし、工程毎の制御を困難にするものである。したがって、特許文献１３に記載の発明は、製造スピードを犠牲にせざるを得ないという欠点を有する。
【００１７】
本発明は、こうした関連発明を基礎に、液晶表示素子の連続製造を可能にし、液晶表示素子製造における製品精度及び製造スピードを飛躍的に高め、製品歩留を抜本的に改善すべく鋭意検討され、構想されたものである。
【先行技術文献】
【特許文献】
【００１８】
【特許文献１】特開２００３−１６１９３５号公報
【特許文献２】特許第３６１６８６６号公報
【特許文献３】特公昭６２−１４８１０号公報
【特許文献４】特開２００２−２３１５１号公報
【特許文献５】特開２００４−１４４９１３号公報
【特許文献６】特開２００５−２９８２０８号公報
【特許文献７】特開２００６−５８４１１号公報
【特許文献８】特開２００４−３６１７４１号公報
【特許文献９】特許第３９７４４００号公報
【特許文献１０】特開２００５−６２１６５号公報
【特許文献１１】特開２００７−６４９８９号公報
【特許文献１２】特開２００７−１４００４６号公報
【特許文献１３】特開２００９−０６１４９８号公報
【発明の概要】
【発明が解決しようとする課題】
【００１９】
ＶＡ型液晶パネルやＩＰＳ型液晶パネルには、液晶配向状態から得られる視野角特性から、ＴＮ型液晶パネル特有の技術的制約、すなわち、液晶パネルの長辺又は短辺の向きに対して偏光フィルムの偏光方向が４５°方向になるように液晶パネルの表側と裏側の面に偏光フィルムのシート片を貼り合わせなければならないという技術的制約がない。そのため、ＶＡ型液晶パネルやＩＰＳ型液晶パネルを用いる液晶表示素子は、連続状光学フィルムの供給中に送り方向に対して直角方向に該光学フィルムを切断することによって切り出された偏光フィルムのシート片を液晶パネルに連続的に貼り合わせることにより、連続的に製造することが可能である。また、連続状光学フィルムの供給中に、この供給を途切れさせることなく、含まれる連続状偏光フィルムの事前検査によって検出された欠点を含む不良シート片と欠点を含まない正常シート片の各々が切り出され、そのうちの正常シート片のみが液晶パネルとの貼合位置に供給されるようにすることによって、液晶表示素子の連続製造における製品精度及び製造スピードが飛躍的に高められ、製品歩留の大幅改善が可能になる。
【００２０】
本発明の目的は、粘着層を含む連続状偏光フィルムと粘着層に剥離自在に積層された連続状キャリアフィルムとを含む検査済みの連続状光学フィルム（以下、「連続状検査済み光学フィルム」という。）を貼合位置に向けて供給しながら、事前検査によって検出された欠点を含む不良シート片と欠点を含まない正常シート片の各々を連続的に切り出すことができるようにすることによって、連続状検査済み光学フィルムの供給を途切れさせることなく、切り出された正常シート片のみを液晶パネルに連続的に貼り合せる手段を実現し、もって液晶表示素子の連続製造における製品精度及び製造スピードを飛躍的に高め、製品の歩留を大幅に改善することである。
【課題を解決するための手段】
【００２１】
上述した目的は、連続状光学フィルムに含まれる連続状偏光フィルムの事前検査によって検出された欠点の情報が記憶された情報格納媒体と、検査が終了し、識別標識が付与された連続状光学フィルムの積層体ロールと、積層体ロールに付与された識別標識の読み取りに応じて情報格納媒体から読み出された欠点情報に基づいて切断位置を求める切断位置演算手段とを含む構成を提供することによって、達成することができる。
【００２２】
本発明の第１の態様は、液晶表示素子を連続製造する装置において用いられる情報格納読出演算システムを提供する。本情報格納読出演算システムは、所定寸法に形成された液晶パネルの長辺又は短辺に合わせた幅を有する粘着層を含む連続状偏光フィルムと前記粘着層に剥離自在に積層された連続状キャリアフィルムとを含む連続状光学フィルムの積層体ロールから、液晶パネルの長辺又は短辺に対応する所定長さに切り出されたシート片を液晶パネルに貼り合せて液晶表示素子を連続製造する装置において用いられる情報格納読出演算システムである。本情報格納読出演算システムは、連続状光学フィルムに含まれる連続状偏光フィルムの検査によって検出された欠点に関する情報を記憶させた情報格納媒体と、識別標識を付与した連続状検査済み光学フィルムの積層体ロールと、識別標識に基づいて情報格納媒体から読み出される欠点情報と積層体ロールから連続状検査済み光学フィルムが繰り出されるときの繰出量に基づいて算出される測長データとを用いて、欠点を含む不良シート片を画定する不良シート片切断位置と欠点を含まない正常シート片を画定する正常シート片切断位置とを演算する、切断位置演算手段と、を含むことを特徴とする。本情報格納読出演算システムを用いることによって、液晶表示素子を連続製造する装置において、演算された不良シート片切断位置及び正常シート片切断位置に基づいて、連続状検査済み光学フィルムに、連続状キャリアフィルムとは反対の側から連続状キャリアフィルムの粘着層側の面に達する深さまで、連続状検査済み光学フィルムの送り方向に対して直角方向に切り込みを入れ、正常シート片を切り出すことができるようになる。
【００２３】
本発明の一実施形態においては、連続状検査済み光学フィルムは、連続状偏光フィルムの粘着層側でない面に剥離自在に積層される連続状表面保護フィルムをさらに含む。
【００２４】
本発明の第２の態様は、液晶表示素子を連続製造する装置において用いられる情報格納読出演算システムを製造する方法を提供するものである。本方法は、所定寸法に形成された液晶パネルの長辺又は短辺に合わせた幅を有する粘着層を含む連続状偏光フィルムと前記粘着層に剥離自在に積層された連続状キャリアフィルムとを含む連続状光学フィルムの積層体ロールから、長手方向に対して直角方向の線に沿って切り込むことにより液晶パネルの長辺又は短辺に対応する所定長さに切り出されたシート片を液晶パネルに貼り合せて液晶表示素子を連続製造する装置に用いられる。本方法は、連続状偏光子の少なくとも一面に連続状保護フィルムを積層して連続状偏光フィルムを製造し、連続状偏光フィルムを検査して連続状偏光フィルムに内在する欠点を検出し、連続状偏光フィルムに粘着層を介して連続状キャリアフィルムを剥離自在に積層することによって連続状検査済み光学フィルムを製造し、連続状検査済み光学フィルムを識別するための識別標識を生成して連続状検査済み光学フィルムに付与し、識別標識が付与された連続状検査済み光学フィルムをロール状に巻き取ることによって、識別標識が付与された連続状検査済み光学フィルムの積層体ロールを製造するステップと、検査によって検出された欠点情報を、予め準備された情報格納媒体に記憶させて、欠点情報が記憶された情報格納媒体を製造するステップと、識別標識に基づいて情報格納媒体から読み出される欠点情報と積層体ロールから連続状検査済み光学フィルムが繰り出されるときの繰出量に基づいて算出される測長データとを用いて、欠点を含む不良シート片を画定する不良シート片切断位置と欠点を含まない正常シート片を画定する正常シート片切断位置とを演算するように構成された切断位置演算手段を提供するステップと、を含む。
【００２５】
本発明の一実施形態においては、積層体ロールを製造するステップは、連続状偏光フィルムの粘着層側でない面に連続状表面保護フィルムを剥離自在に積層するステップをさらに含む。
【００２６】
本発明の一実施形態においては、積層体ロールを製造するステップは、反射光によって主に連続状偏光フィルムの表面を検査するステップ、光源から照射した光を透過させることによって連続状偏光フィルムに内在する欠点を影として検出するステップ、又は、連続状偏光フィルムと偏光フィルタを、それらの吸収軸がクロスニコルとなるように配置し、これに光源からの光を照射して透過した光を観察することによって連続状偏光フィルムに内在する欠点を輝点として検出するステップのいずれか又はそれらの組合せを含む。
【００２７】
本発明の第３の態様は、液晶表示素子を連続製造する装置において用いられる情報格納読出演算システムを製造する他の方法を提供する。本方法は、所定寸法に形成された液晶パネルの長辺又は短辺に合わせた幅を有する粘着層を含む連続状偏光フィルムと粘着層に剥離自在に積層された連続状キャリアフィルムとを含む連続状光学フィルムの積層体ロールから、長手方向に対して直角方向の線に沿って切り込むことにより液晶パネルの長辺又は短辺に対応する所定長さに切り出されたシート片を液晶パネルに貼り合せて液晶表示素子を連続製造する装置において用いられる。本方法は、粘着層を含む連続状偏光フィルムと前記粘着層に剥離自在に積層された連続状仮キャリアフィルムとを含む連続状仮光学フィルムのロールを準備し、該ロールから連続状仮光学フィルムを繰り出しながら連続状仮キャリアフィルムを剥離して粘着層を含む連続状偏光フィルムを露出させ、露出された粘着層を含む連続状偏光フィルムを検査して粘着層を含む連続状偏光フィルムに内在する欠点を検出し、連続状偏光フィルムの露出された粘着層に連続状キャリアフィルムを剥離自在に積層して連続状検査済み光学フィルムを製造し、連続状検査済み光学フィルムを識別するための識別標識を生成して連続状検査済み光学フィルムに付与し、識別標識が付与された連続状検査済み光学フィルムをロール状に巻き取ることによって、識別標識が付与された連続状検査済み光学フィルムの積層体ロールを製造するステップと、検査によって検出された欠点情報を、予め準備された情報格納媒体に記憶させて、欠点情報が記憶された情報格納媒体を製造するステップと、識別標識に基づいて情報格納媒体から読み出される欠点情報と積層体ロールから連続状検査済み光学フィルムが繰り出されるときの繰出量に基づいて算出される測長データとを用いて、欠点を含む不良シート片を画定する不良シート片切断位置と欠点を含まない正常シート片を画定する正常シート片切断位置とを演算するように構成された切断位置演算手段を提供するステップと、を含む。
【００２８】
本発明の一実施形態においては、連続状仮キャリアフィルムは、一面に離型処理後に粘着剤を含む溶剤を塗布し乾燥することによって形成された転写可能な粘着層を有する。
【００２９】
本発明の一実施形態においては、連続状キャリアフィルムは、連続状偏光フィルムの露出された粘着層に積層される面に離型処理が施されている。
【００３０】
本発明の一実施形態においては、積層体ロールを製造するステップは、連続状偏光フィルムの粘着層側でない面に連続状表面保護フィルムを剥離自在に積層するステップをさらに含む。
【００３１】
本発明の一実施形態においては、積層体ロールを製造するステップは、反射光によって主に連続状偏光フィルムの表面を検査するステップ、光源から照射した光を透過させることによって連続状偏光フィルムに内在する欠点を影として検出するステップ、又は、連続状偏光フィルムと偏光フィルタを、それらの吸収軸がクロスニコルとなるように配置し、これに光源からの光を照射して透過した光を観察することによって連続状偏光フィルムに内在する欠点を輝点として検出するステップのいずれか又はそれらの組合せを含む。
【図面の簡単な説明】
【００３２】
【図１】画面サイズが対角４２インチの大型テレビ用液晶表示素子の例である。
【図２】液晶表示素子の製造に用いられる連続状光学フィルムの構造と、連続状光学フィルムから切り出された偏光フィルムのシート片を貼り合わせた液晶表示素子とを示す図である。
【図３】本発明の一実施形態に係る情報格納読出演算システムを用いた液晶表示素子の連続製造装置を示す概略図である。
【図４】図３に示される装置における製造ステップのフロー図である。
【図５】本発明の一実施態様に係る、情報格納媒体に記憶される欠点情報と関連付けられた識別標識が付与された連続状検査済み光学フィルムの積層体ロールＲを製造する装置を示す図である。
【図６】図５に示される装置における製造ステップのフロー図である。
【図７】本発明の別の実施態様に係る、情報格納媒体に記憶される欠点情報と関連付けられた識別標識が付与された連続状検査済み光学フィルムの積層体ロールＲを製造する装置を示す図である。
【図８】図７に示される装置における製造ステップのフロー図である。
【図９】欠点検査装置、欠点種類及び欠点検出方法を示す表である。
【図１０】本発明の一実施態様に係る、欠点情報を記憶させた情報格納媒体と識別標識が付与された連続状検査済み光学フィルムの積層体ロールと切断位置演算手段とを含む情報格納読出演算システムを示す図である。
【図１１】本発明の一実施態様に係る、連続状検査済み光学フィルムに付与される識別標識の種類を示す図である。
【図１２】供給される連続状検査済み光学フィルムに不良領域と正常領域とを区分する切込線を形成すべき位置を算出する方法を示す図である。
【図１３】供給される連続状検査済み光学フィルムに切込線を形成すべき位置を算出するための方法のフロー図である。
【図１４】供給される連続状検査済み光学フィルムに切込線を形成すべき位置を算出するための別の方法のフロー図である。
【図１５】供給される連続状検査済み光学フィルムに切込線を形成すべき位置を算出するためのさらに別の方法のフロー図である。
【図１６】図１３に示される方法によって演算された結果として生成される切断位置情報を示す図である。
【図１７】図１４に示される方法によって演算された結果として生成される切断位置情報を示す図である。
【図１８】図１５に示される方法によって演算された結果として生成される切断位置情報を示す図である。
【図１９】本発明の一実施形態に係る情報格納読出演算システムを含む液晶表示素子の連続製造装置における切断位置確認装置の動作を示す図である。
【図２０】本発明の一実施形態に係る情報格納読出演算システムを含む液晶表示素子の連続製造装置における、不良シート片を識別又は選別して動作する不良シート片排除装置を示す図である。
【図２１】本発明の一実施形態に係る情報格納読出演算システムを含む液晶表示素子の連続製造装置において、姿勢が制御された液晶パネルが貼合位置に搬送されることを示す図である。
【図２２】本発明の一実施形態に係る液晶表示素子の連続製造装置における、正常シート片と液晶パネルとの貼合装置を示す図である。
【発明を実施するための形態】
【００３３】
本明細書においては、片面又は両面に連続状保護フィルムが積層された連続状偏光子（ｐｏｌａｒｉｚｅｒ）の液晶パネルＷに貼り合される一面に粘着層が形成された連続状フィルムを連続状偏光フィルムといい、この連続状偏光フィルムから矩形に成形された、「偏光板」と通称されるシート片を「偏光フィルムのシート片」又は単に「シート片」という。また、連続状表面保護フィルム及び連続状キャリアフィルムと一体の連続状偏光フィルムからシート片が切り出される場合であって、シート片を「偏光フィルムのシート片」と区別する必要がある場合には、それを「光学フィルムのシート片」といい、そこに含まれる連続状表面保護フィルム又は連続状キャリアフィルムから切り出されたシート片は、「表面保護フィルムのシート片」又は「キャリアフィルムのシート片」という。
【００３４】
以下に、図面を参照しながら本発明の実施態様を詳細に説明する。
１．液晶表示素子を連続製造する装置の構成
図３は、本発明に係る情報格納読出演算システムを含む液晶表示素子を連続製造する装置１を示す概略図である。本装置１は、連続状検査済み光学フィルムの積層体ロールＲが装備された光学フィルム供給装置１００と、連続状検査済み光学フィルムから切り出された偏光フィルムの正常シート片が貼り合わされる液晶パネルを搬送する搬送装置３００と、光学フィルム供給装置１００及び液晶パネルの搬送装置３００の全体の動作を制御する制御装置４００とを含む。連続状検査済み光学フィルムの積層体ロールＲは、液晶パネルの幅に対応する幅を有する粘着層を含む連続状偏光フィルムと粘着層に剥離自在に積層された連続状キャリアフィルムとを含む連続状光学フィルムに、識別標識２０が付与されたものである。識別標識２０は、連続状偏光フィルム又は粘着層を含む偏光フィルムの検査によって検出され予め情報格納媒体８００に記憶された欠点情報８０と関連付けられることが好ましい。情報格納媒体８００は、後述されるように、連続状検査済み光学フィルムを製造する工程において検出された欠点の位置を含む欠点情報８０を記憶させた情報格納媒体である。情報格納媒体としては、フレキシブルディスク、ＣＤ、ＤＶＤ、フラッシュメモリ、ハードディスクなどを用いることができる。なお、連続状偏光フィルム又は粘着層を含む偏光フィルムの検査によって検出された欠点に基づいて生成される欠点情報８０は、積層体ロールＲの製造装置において欠点情報８０が生成された後に、情報格納媒体８００を介さずに、インターネット又は専用回線を通して直接、液晶表示素子を連続製造する装置１の記憶装置４２０に転送することもできる。この場合には、記憶装置４２０が本発明に係る情報格納媒体として機能する。
【００３５】
光学フィルム供給装置１００は、連続状検査済み光学フィルムから偏光フィルムのシート片１１’’を切り出す切断ステーションＡと、切り出された偏光フィルムのシート片１１’’のうち不良シート片を排除する排除ステーションＣと、正常シート片を液晶パネルに貼り合せる貼合ステーションＢとを含む。光学フィルム供給装置１００は、後述されるように、貼合ステーションＢと排除ステーションＣとを重複して配置することもできる。液晶パネル搬送装置３００の詳細は、図２１を用いて後述される。制御装置４００は、識別標識読取装置１２０による識別標識２０の読み取りに応じて欠点情報８０を情報格納媒体８００又は制御装置４００の記憶装置４２０から読み出し、その欠点情報に基づいて連続状検査済み光学フィルムに切り込みを入れる切断位置を演算する機能を有する。
【００３６】
光学フィルム供給装置１００は、連続状検査済み光学フィルムの積層体ロールＲを回転自在に装着するための支架装置１１０と、識別標識２０を読み取るための識別標識読取装置１２０と、一方に連続状検査済み光学フィルムの繰出量を計測するためのエンコーダ１３１が内蔵された一対のフィードローラを含むフィルム供給装置１３０と、一定速度のフィルム供給のためのアキュームローラを含む速度調整装置１４０と、エンコーダ１３１によって算出された連続状検査済み光学フィルムの繰出量による測長データと識別標識２０の読み取りに応じて読み出された欠点情報８０とに基づいて、連続状検査済み光学フィルムに、送り方向に対して直角方向の切り込みを入れて切込線を形成するための切断装置１５０と、形成された切込線の位置を確認するための切断位置確認装置１６０と、フィードローラを含むフィルム供給装置１７０と、一定速度のフィルム供給のためのアキュームローラを含む速度調整装置１８０と、偏光フィルムの不良シート片を認識して連続状キャリアフィルムから排除するための不良シート片排除装置１９０と、液晶パネルに対応する所定長さに切り出された偏光フィルムの正常シート片を連続状キャリアフィルムから剥離して液晶パネルに貼り合せるための一対の貼合ローラを含む貼合装置２００と、連続状キャリアフィルムを巻き取るためのキャリアフィルム巻取駆動装置２１０と、貼偏光フィルムの正常シート片の先端を確認するためのエッジ検出装置２２０と、偏光フィルムの正常シート片の直進位置を検出するための直進位置検出装置２３０とを含む。図４は、これらの装置によって行われる、液晶表示素子を連続製造する装置１における製造ステップを表したフロー図である。
【００３７】
２．連続状検査済み光学フィルムの積層体ロールＲの製造
（連続状検査済み光学フィルム１０の構成）
光学フィルム供給装置１００に装着される連続状検査済み光学フィルムは、図２に示されるように、連続状保護フィルムが積層された連続状偏光子及び偏光子の液晶パネルに貼り合される面に粘着層１２が形成された連続状偏光フィルム１１と、連続状偏光フィルム１１の粘着層１２が形成されていない面に積層された粘着面を有する連続状表面保護フィルム１３と、連続状偏光フィルム１１の粘着層１２に剥離自在に積層された連続状キャリアフィルム１４とを含む、可撓性の連続状検査済み光学フィルム１０である。液晶表示素子の連続製造装置１においては、この連続状検査済み光学フィルム１０が巻き取られた積層体ロールＲが用いられる。粘着層１２が未だ形成されていない連続状偏光フィルム１１’（粘着層１２が形成されている「粘着層を含む連続状偏光フィルム１１」と区別するため、粘着層１２が未だ形成されていない連続状偏光フィルムを「連続状偏光フィルム１１’」という。）又は粘着層を含む連続状偏光フィルム１１は、内在する欠点の有無が事前に検査される。
【００３８】
連続状検査済み光学フィルム１０を製造する場合に用いられる検査方法には、２つの方法がある。一つは、ＰＶＡフィルムから生成される連続状偏光子に連続状保護フィルムを積層する連続状偏光フィルム１１’の製造工程において、製造中の連続状偏光フィルム１１’を検査する方法である。他の一つは、予め製造され、準備された粘着層を含む連続状偏光フィルム１１と前記粘着層に剥離自在に積層された連続状仮キャリアフィルム１４’とを少なくとも含む連続状仮光学フィルム１０’の積層体ロールＲ’を用いて検査する方法である。具体的には、積層体ロールＲ’から連続状仮光学フィルム１０’を繰り出しながら連続状仮キャリアフィルム１４’を剥離することによって、露出された粘着層を含む連続状偏光フィルム１１を検査する方法である。連続状検査済み光学フィルム１０は、好ましくは、貼り合される液晶パネルの長辺又は短辺とほぼ同じ幅を有する。また、連続状偏光子の片面又は両面に積層される連続状保護フィルムは、透明保護フィルムが好ましい。連続状キャリアフィルム１４は、液晶表示素子の製造工程中に連続状偏光フィルム１１の粘着層１２を保護し、偏光フィルムの正常シート片が連続状キャリアフィルム１４から剥離されて液晶パネルに貼り合されるときに巻き取り除去される離型フィルムである。連続状キャリアフィルム１４は、液晶パネルに対応する所定長さに切り出された偏光フィルムの正常シート片を貼合ステーションＢまで搬送するキャリア機能を有しているので、ここでは「キャリアフィルム」という。
【００３９】
連続状偏光フィルム１１’又は粘着層を含む連続状偏光フィルム１１は、例えば、以下の工程を経て製造される。まず、５０〜８０μｍ厚程度のＰＶＡ（ポリビニルアルコール系）フィルムをヨウ素で染色し、架橋処理し、ＰＶＡフィルムに縦又は横方向への延伸による配向処理を施す。結果として、ＰＶＡフィルムの延伸方向に平行な方向にヨウ素錯体が配列されることによって、この方向の振動を有する偏光が吸収される延伸方向と平行な方向に吸収軸を持つ連続状偏光子が形成される。優れた均一性及び精度に加え、優れた光学特性を有する連続状偏光子を作製するためには、ＰＶＡフィルムの延伸方向はフィルムの縦方向又は横方向に一致することが望ましい。一般に、偏光子又は偏光子を含む連続状偏光フィルム１１’の吸収軸は、連続状偏光フィルム１１’の長手方向と平行であり、偏光軸はそれと垂直な横方向となる。偏光子の厚さは、２０〜３０μｍである。次に、作製された連続状偏光子の両面に、接着剤を介して、連続状偏光子を保護する連続状保護フィルムが積層される。連続状保護フィルムは、一般に４０〜８０μｍ厚程度の透明ＴＡＣ（トリアセチルセルロース系）フィルムが多く用いられる。液晶表示素子の薄型化の観点から、連続状偏光子の一面にのみ連続状保護フィルムが貼り合される場合もある。最後に、連続状保護フィルムが積層された連続状偏光子の一面に、液晶パネルに貼り合されるアクリル系の粘着層が形成され、粘着層を含む偏光フィルム１１が製造される。図２に示すように、粘着層の厚さは、１０〜３０μｍである。なお、粘着層を含む連続状偏光フィルム１１の厚みは、通常、１１０〜２２０μｍ程度である。
【００４０】
連続状保護フィルムの一方は、シクロオレフィン系ポリマーやＴＡＣ系ポリマーなどを用いた光学補償機能を有する位相差フィルムに置き換えることが可能である。また、連続状偏光フィルム１１’は、ＴＡＣ系の透明基材上にポリエステル系やポリイミド系などのポリマー材料を塗布／配向し、固定化した層を付与することによって製造することも可能である。また液晶表示素子のバックライト側に貼り合される連続状偏光フィルム１１’の場合には、連続状偏光子のバックライト側の連続状保護フィルムに輝度向上フィルムを貼り合せて機能を付加することもできる。その他、連続状偏光フィルム１１’の構造について、連続状偏光子の一面にＴＡＣフィルムを貼り合わせ、他面にＰＥＴフィルムを貼り合せることを含む様々なバリエーションが提案されている。
【００４１】
連続状表面保護フィルム１３及び連続状キャリアフィルム１４は、通常、ＰＥＴ（ポリエチレンテレフタレート系）フィルムが用いられる。連続状表面保護フィルム１３及び連続状キャリアフィルム１４は、いずれも液晶表示素子を連続製造する最終工程までに剥離除去される、いわゆる製造工程材料である。連続状表面保護フィルム１３は、液晶表示素子の製造工程中に、連続状偏光フィルム１１の粘着層のない面が汚れたり傷ついたりすることがないよう保護するために用いられ、連続状キャリアフィルム１４は、粘着層の露出された面を保護するために用いられるフィルムである。連続状仮キャリアフィルム１４’も同様のフィルムである。
【００４２】
液晶パネルに貼り合せるための粘着層が形成されていない連続状偏光フィルム１１’に粘着層を形成する方法の一つは、連続状偏光フィルム１１’の液晶パネルに貼り合される面に、粘着層を転写可能に形成した連続状キャリアフィルム１４を積層する方法である。具体的な転写方法は以下のとおりである。まず、連続状キャリアフィルム１４の製造工程において、連続状偏光フィルムの液晶パネルに貼り合される面に積層される連続状キャリアフィルム１４の一面に離型処理を施し、その面に粘着剤を含む溶剤を塗布し乾燥させることによって、連続状キャリアフィルム１４に粘着層を生成する。次に、例えば、生成された粘着層を含む連続状キャリアフィルム１４を連続的に繰り出し、それを同じように繰り出された連続状偏光フィルム１１’に積層することによって、連続状偏光フィルム１１’に、連続状キャリアフィルム１４の粘着層を転写して粘着層１２を形成する。このように形成された粘着層の代わりに、連続状偏光フィルム１１’の液晶パネルに貼り合される面に粘着剤を含む溶剤を直接塗布し乾燥させて粘着層１２を形成することもできる。
【００４３】
連続状表面保護フィルム１３は、通常、粘着面を有する。この粘着面は、連続状偏光フィルム１１の粘着層１２と異なり、液晶表示素子の製造工程中に、偏光フィルムのシート片１１’’から表面保護フィルムのシート片（図示せず）が剥離除去されるときに、表面保護フィルムのシート片と一体に剥離されなければならない。図２（製品）の図は、表面保護フィルムのシート片が剥離され除去された状態を示している。連続状偏光フィルム１１に連続状表面保護フィルム１３が積層されるかどうかに関わりなく、連続状偏光フィルム１１の視認側保護フィルムの表面に、液晶表示素子の最外面を保護するハードコート処理やアンチグレア処理を含む防眩などの効果が得られる表面処理を施すこともできる。
【００４４】
（積層体ロールＲの製造）
以下に、液晶表示素子の連続製造装置において用いられる情報格納読出演算システムの積層体ロールＲを製造する装置及び方法の第１及び第２の実施形態について、それぞれ、図５及び図６と、図７及び図８とを用いて説明する。液晶表示素子の連続製造装置において用いられる情報格納読出演算システムは、連続状検査済み光学フィルムの欠点の情報８０を記憶させた情報格納媒体８００と、欠点情報８０と関連付けられた識別標識２０が付与された連続状検査済み光学フィルム１０の積層体ロールＲと、連続状検査済み光学フィルム１０に入れられる切り込みの位置を演算する切断位置演算手段とを含む。
【００４５】
（第１の実施形態）
図５は、本発明の一実施形態に係る連続状検査済み光学フィルムの積層体ロールＲを製造する装置５００を模式的に示す図である。図６は、図５に示される装置５００に対応する、連続状検査済み光学フィルムの積層体ロールＲを製造する方法の製造ステップを表すフロー図である。
【００４６】
図５に示される装置５００は、連続状偏光子を製造する工程５１０と、連続状偏光子に積層される連続状保護フィルムを製造する工程５２０と、連続状偏光子に接着剤を介在させて連続状保護フィルムを積層しながら連続状偏光フィルム１１’を製造する工程を含む製造ライン５３０と、欠点の有無が検査された連続状偏光フィルム１１’の一方の面には転写可能な粘着層を形成した連続状キャリアフィルム１４を積層し、他方の面には必要に応じて連続状表面保護フィルム１３を剥離自在に積層して連続状検査済み光学フィルムを製造する工程を含む製造ライン５４０と、連続状検査済み光学フィルムに識別標識２０を付与した後に、それを巻き取って積層体ロールＲを製造する工程を含む製造ライン５５０と、を含む。製造ライン５３０は、連続状偏光フィルム１１’に内在する欠点の有無を検査する工程をさらに含む。製造ライン５４０は、連続状検査済み光学フィルムに識別標識２０を付与する工程をさらに含む。装置５００は、さらに、装置全体の制御を行う制御装置７００を含む。
【００４７】
図５に示されるように、製造ライン５１０は、連続状偏光子の基材となるＰＶＡフィルムのロール５１が回転自在に装着され、貼合駆動装置５６０又は図示しない他の駆動装置によってロール５１から繰り出されるＰＶＡフィルムを染色、架橋・延伸処理後に乾燥して連続状偏光子を製造する工程を含む。製造ライン５２０は、連続状保護フィルムの基材となる通常は透明ＴＡＣフィルムのロール５２が回転自在に装着され、同じく貼合駆動装置５６０又は図示しない他の駆動装置によってロール５２から繰り出される透明ＴＡＣフィルムをケン化処理後に乾燥して連続状保護フィルムを製造する工程を含む。製造ライン５３０は、製造ライン５１０及び５２０の終端に一対の貼合ローラ５６１及び５６２を有する貼合駆動装置５６０を含み、偏光子と保護フィルムとの界面にポリビニルアルコール系樹脂を主剤とする接着剤を塗布し、両貼合ローラによって両フィルムを僅か数μｍの接着層で乾燥接着して連続状偏光フィルム１１’を製造する工程（図６のステップ１）を含むことができる。貼合駆動装置５６０は、製造される連続状偏光フィルム１１’の先端からの繰出量により測長データを算出するためのエンコーダが貼合ローラのいずれかに組み込まれた測長装置５７０を含む。これにより連続状偏光フィルム１１’の繰出量を測定することができる（同じくステップ２）。貼合ローラ５６１及び５６２は、連続状偏光子と連続状保護フィルムとを圧着しながら貼り合せて連続状偏光フィルム１１’を製造する。貼合ローラ５６１及び５６２はさらに、後述される巻取駆動装置６３０と連動して、連続状偏光フィルム１１’を繰り出しながら連続供給する。
【００４８】
製造ライン５３０は、連続状偏光フィルム１１’の表面及び内部を検査することによって内在する欠点を検出する連続状偏光フィルム１１’の検査ステーションＭをさらに含む（ステップ３）。検査ステーションＭは、連続状偏光フィルム１１’の表面及び内面について欠点の有無を検出する検査装置５８０を含む。検査装置５８０は、図９に示されるように、例えば、反射検査、透過検査、クロスニコル透過検査を行う。検査ステーションＭは、当業者には周知の以下に示す３つの検査装置のいずれか又はこれらの組み合わせを含むことができる。
【００４９】
第１の検査装置は、光反射によって連続状偏光フィルム１１’の表面を検出する欠点の検査装置である。検出することができる欠点は、図９に示されるように、ＣＣＤカメラが検出可能な表面の凹凸及び傷や斑に止まる。
【００５０】
第２の検査装置は、光源によって照射された光を、連続状偏光フィルム１１’に対して垂直に入射させながら光学式検査ユニットに受光させ、連続状偏光フィルム１１’に内在する欠点を影として検出する欠点の検査装置である。検出することができる欠点は、図９に示されるように、内部の異物及び内部に形成されている気泡などである。
【００５１】
第３検査装置は、クロスニコル条件による欠点の検出装置である。こうした欠点の検査装置の実用化に伴って、連続状偏光フィルムの欠点検査の精度は飛躍的に向上した。大型の液晶表示素子用の連続状偏光フィルムとして、通常、クロスニコル条件による欠点検査をパスしたもののみを用いる傾向が強い。検査方法は、以下のとおりである。まず、検査対象である連続状偏光フィルム１１’及びそれに対応する偏光フィルタを、それらの吸収軸がクロスニコルとなるように配置する。次いで、光源によって発せられた光を、連続状偏光フィルム１１’に対して垂直又は斜めに入射させ、連続状偏光フィルム１１’の吸収軸に対して偏光フィルタの吸収軸が９０°になるように光学式検知ユニットの直前に偏光フィルタを設置した状態で、連続状偏光フィルム１１’を透過した光を光学式検知ユニットに受光させることによって、連続状偏光フィルム１１’に内在する欠点を輝点として検出する。検出することができる欠点は、図９に示されるように、表面の凹凸を除きほぼ全ての欠点を含む。
【００５２】
制御装置７００は、検査ステーションＭにおいて検出された欠点の画像を処理して、欠点に関する情報８０を生成する（ステップ４）。制御装置７００はさらに、生成された欠点情報８０を記憶装置７２０に記憶させ（ステップ５）、しかる後に情報格納媒体８００に格納する（ステップ１４）。欠点情報８０は、欠点情報８０のバックアップのために、複数の情報格納媒体に格納させることもできる。欠点情報８０は、生成された後に、情報格納媒体８００を介さずに、インターネット又は専用回線を通して直接、液晶表示素子を連続製造する装置１の記憶装置４２０に転送することもできる。この場合には、記憶装置４２０が本発明に係る情報格納媒体として機能することになる。
【００５３】
検査装置５８０と制御装置７００との関連は、以下のとおりである。検査装置５８０は、例えばＣＣＤカメラを含む画像読取装置５８１を含む。画像読取装置５８１は、制御装置７００に含まれる情報処理装置７１０に接続されている。画像読取装置５８１によって読み取られた画像データは、情報処理装置７１０に接続された測長装置５７０によって計測された測長データと関連付けて情報処理される。情報処理装置７１０は、画像読取装置５８１による画像データと、測長装置５７０による連続状偏光フィルム１１’の検査位置（通常は先端位置）からの繰出量に基づく測長データとを関連付けて情報処理することによって、連続状偏光フィルム１１’に内在する欠点に関する情報８０を生成し（ステップ４）、記憶装置７２０に記憶する（ステップ５）。欠点情報８０は、少なくとも欠点の位置に関する位置データを含み、さらに、欠点の種類、欠点の大きさ等に関する情報を含むこともできる。
【００５４】
情報処理装置７１０は次に、現在製造されている連続状光学フィルムの積層体ロールを他の連続状光学フィルムの積層体ロールと識別するための識別情報２０を生成する。識別標識２０は、欠点情報８０と関連付けられることが好ましい。この識別情報２０は、液晶表示素子の連続製造において、情報格納媒体８００又は記憶装置４２０から欠点情報８０を読み出すために用いられる。生成された識別標識２０は、最終的に製造された連続状検査済み光学フィルムに付与され（ステップ１２）、識別標識２０が付与された連続状検査済み光学フィルム１０が製造されることになる（ステップ１３）。識別標識２０は、欠点情報８０に関連付けられた製造ロットやロールｍ数等の情報を含むことができる。
【００５５】
連続状偏光フィルム１１’の欠点検査が終了した後に、連続状偏光フィルム１１’の一方の面に液晶パネルに貼り合わせるための粘着層１２を形成しなければならない。図５に示されるように、製造ライン５４０は、予め粘着層が転写可能に形成された連続状キャリアフィルム１４のロール５９が装着されたキャリアフィルム供給装置５９０を含む。連続状キャリアフィルム１４は、事前に、キャリアフィルムの製造ライン（図示せず）において、２０〜５０μｍ厚程度のＰＥＴ（ポリエチレンテレフタレート系）フィルムを基材として製造される。連続状キャリアフィルム１４の一面には、一般に、ＰＥＴフィルムの一面に離型処理が施された後に、その面にアクリル系粘着剤を含む溶剤を塗布し乾燥させることによって、１０〜３０μｍ厚程度の転写可能な粘着層が形成され、その粘着層に離型フィルムが剥離自在に積層される。連続状キャリアフィルム１４がキャリアフィルム供給装置５９０から離型フィルムを剥離しながら供給され、一対のキャリアフィルム貼合ローラ５９１及び５９２によって連続状偏光フィルム１１’に剥離自在に積層される。このことにより、連続状キャリアフィルム１４に形成された粘着層が連続状偏光フィルム１１’に転写され、粘着層を含む連続状偏光フィルム１１が製造される。
【００５６】
製造ライン５４０は、連続状偏光フィルム１１の連続状キャリアフィルム１４が積層された面と反対側の面に粘着面を有する連続状表面保護フィルム１３を積層する表面保護フィルム供給装置６４０を含むこともできる。製造ライン５４０は、連続状表面保護フィルム１３及び／又は連続状キャリアフィルム１４を連続状偏光フィルム１１に積層して連続状検査済み光学フィルム１０が製造された後に、識別標識２０を付与するための装置６２０をさらに含む。識別標識２０が付与される位置は、連続状偏光フィルム１１’の欠点検査の開始位置に対応する位置とすることが好ましい。
【００５７】
製造ライン５５０は、装置６２０によって識別標識２０が連続状検査済み光学フィルム１０に付与された後に、それを巻き取って積層体ロールＲに仕上げる一対の巻取ローラ６３１及び６３２を有する光学フィルム巻取駆動装置６３０を含む（ステップ１３）。なお、連続状偏光子の両面に連続状保護フィルムを積層する場合、装置５００は、連続状保護フィルムの２つの製造ライン５２０、５２０’を含むことになる（ここでは、製造ライン５２０’を省略する。）。また連続状偏光子に連続状保護フィルムが積層される前に、保護フィルム表面（非積層面）にハードコート処理、防眩処理、又はアンチグレア処理を施す加工処理ラインを連続状保護フィルムの製造ライン５２０に付加するようにしてもよい。
【００５８】
（第２の実施形態）
図７は、本発明の一実施形態に係る連続状検査済み光学フィルム１０の積層体ロールＲを製造する装置５００’を模式的に示す図である。図８は、図７に示される装置５００’対応する、連続状検査済み光学フィルム１０の積層体ロールＲを製造する方法の製造ステップを表すフロー図である。
【００５９】
図７に示される装置５００’を、第１の実施形態の装置５００と異なる構成を除き、同じ構成については同一符号を用いて、説明する。装置５００’は、予め製造され、準備された連続状仮光学フィルム１０’の積層体ロールＲ’を用いる。積層体ロールＲ’は、粘着層を含む連続状偏光フィルム１１と前記粘着層に剥離自在に積層された連続状仮キャリアフィルム１４’とを少なくとも含む連続状仮光学フィルム１０’がロール状に巻き取られた積層体ロールである。ここでいう連続状偏光フィルム１１は、連続状偏光子に連続状保護フィルムが積層された連続状積層体に粘着層がすでに形成された連続状フィルムであり、いわゆる粘着層を含む連続状偏光フィルムである。連続状偏光フィルム１１は、内在する欠点の有無が検出されていない欠点検査前の粘着層含む連続状偏光フィルムであり、その粘着層に、それを保護する連続状仮キャリアフィルム１４’が剥離自在に積層されている。したがって、装置５００’は、支架装置に回転自在に装着された連続状仮光学フィルム１０’の積層体ロールＲ’から連続状仮光学フィルム１０’を供給する仮光学フィルム供給ライン５１０’と、連続状仮光学フィルム１０’から連続状仮キャリアフィルム１４’を剥離して粘着層を含む連続状偏光フィルム１１を露出状態にして供給する偏光フィルム供給ライン５２０’とを含む。
【００６０】
第２の実施形態の装置５００’においては、予め製造された連続状仮光学フィルム１０’の積層体ロールＲ’が用いられる。そのため、本装置５００’は、当然、連続状偏光子の製造ライン及び連続状保護フィルムの製造ラインを持たない。また、第１の実施形態の製造ライン５３０のように、貼合駆動装置５６０の一対の貼合ローラ５６１及び５６２によって、界面に接着剤を塗布して連続状偏光子と連続状保護フィルムを乾燥接着する工程も必要とされない。それに対応するラインは、図７に示されるように、連続状仮光学フィルム１０’の積層体ロールＲ’の供給ライン５１０’である（図８に示されるステップ１）。供給ライン５１０’には、支架装置に装着された積層体ロールＲ’から連続状仮光学フィルム１０’を繰り出す一対のフィードローラ５６１’及び５６２’を含む仮光学フィルム供給駆動装置５６０’が含まれる。仮光学フィルム供給駆動装置５６０’は、連続状仮光学フィルム１０’の先端からの繰出量を計測し測長データを算出するためのエンコーダがフィードローラのいずれかに組み込まれた測長装置５７０’を含む。これにより、連続状仮光学フィルム１０’の繰出量を測定することができる（ステップ２）。フィードローラ５６１’及び５６２’は、製造される連続状検査済み光学フィルム１０を巻き取り積層体ロールＲに仕上げる巻取駆動装置６３０と連動して、連続状仮光学フィルム１０’を繰り出しながら連続供給する。
【００６１】
図７に示される連続状仮光学フィルム１０’の供給ライン５１０’は、仮光学フィルム供給駆動装置５６０’により連続状仮キャリアフィルム１４’を含む連続状仮光学フィルム１０’を剥離ステーションＬに送り込む。供給ライン５２０’は、仮キャリアフィルム剥離装置６５０によって連続状仮光学フィルム１０’から連続状仮キャリアフィルム１４’を剥離し、粘着層を含む連続状偏光フィルム１１を露出状態にして供給する、剥離ステーションＬを含む。製造ライン５３０’は、露出された粘着層を含む連続状偏光フィルム１１を検査ステーションＭに送り込み、露出された粘着層を含む連続状偏光フィルム１１に内在する欠点を検出する検査工程を含む。第２の実施形態に係る連続状検査済み光学フィルム１０の積層体ロールＲの製造は、製造ライン５３０’によって開始される。
【００６２】
予め製造された連続状仮光学フィルム１０’の積層体ロールＲ’は、その製造工程において、転写可能な粘着層を形成した連続状仮キャリアフィルム１４’を用いることが好ましい。それは、装置５００’においては、積層体ロールＲ’から連続状仮光学フィルム１０’が繰り出され、連続状仮光学フィルム１０’から連続状仮キャリアフィルム１４’が剥離されるときに、連続状仮キャリアフィルム１４’に剥離自在に形成された粘着層を連続状偏光フィルム１１’に転写させるようにして、粘着層を含む連続状偏光フィルム１１を製造するためである。製造ライン５３０’は、第１の実施形態の装置５００に含まれる検査ステーションＭと同様の検査ステーションＭを含む。
【００６３】
装置５００においては、内在する欠点の有無を検査する対象が、粘着層を含まない連続状偏光フィルム１１’自体であったのに対して、装置５００’においては、検査対象は、露出状態の粘着層を含む連続状偏光フィルム１１である。検査ステーションＭは、粘着層を含む連続状偏光フィルム１１の表面及び内面について欠点の有無を検出する検査装置５８０を含む。検査装置５８０は、図９に示されるように、例えば、反射検査、透過検査、クロスニコル透過検査を行う。検査ステーションＭに含むことができる検査装置は、上述の第１の実施形態の場合と同様である。制御装置７００は、検査ステーションＭにおいて検出された欠点の画像を処理して、欠点に関する情報８０を生成する（ステップ６）。生成された欠点情報８０は、記憶装置７２０を介して、情報格納媒体８００に格納される（ステップ７及びステップ１６）。欠点情報８０は、バックアップのために複数の情報格納媒体に格納することもできる。
【００６４】
検査装置５８０と制御装置７００との関連は、第１の実施形態の装置５００と同じである。画像読取装置５８１によって読み取られた画像データは、情報処理装置７１０に接続された測長装置５７０’によって計測された測長データと関連付けて情報処理される。情報処理装置７１０は、画像読取装置５８１による画像データと、測長装置５７０’による連続状仮光学フィルム１０’が仮光学フィルム供給駆動装置５６０’を通過する位置（通常は先端位置）からの繰出量に基づく測長データとを関連付けて情報処理することによって、粘着層を含む連続状偏光フィルム１１に内在する欠点に関する情報８０を生成し（ステップ６）、記憶装置７２０に記憶する（ステップ７）。
【００６５】
情報処理装置７１０は、次に、現在製造されている連続状光学フィルムの積層体ロールを他の連続状光学フィルムの積層体ロールと識別するための識別情報２０を生成する。識別標識２０は、欠点情報８０と関連付けられることが好ましい。この識別情報２０は、液晶表示素子の連続製造において、情報格納媒体８００又は記憶装置４２０から欠点情報８０を読み出すために用いられる。生成された識別標識２０は、最終的に製造された連続状検査済み光学フィルムに付与され（ステップ１４）、識別標識２０が付与された連続状検査済み光学フィルム１０が製造されることになる（ステップ１５）。識別標識２０が付与される位置は、粘着層を含む連続状偏光フィルム１１の欠点検査の開始位置に対応する位置とすることが好ましい。識別標識２０は、切断位置情報８０に関連付けられた製造ロットやロールｍ数等の情報を含むことができる。
【００６６】
第２の実施形態の製造ライン５４０’は、連続状キャリアフィルム１４のロール５９’が装着されたキャリアフィルム供給装置５９０’を含む。連続状キャリアフィルム１４は、事前に、キャリアフィルムの製造ライン（図示せず）において、２０〜５０μｍ厚程度のＰＥＴ（ポリエチレンテレフタレート系）フィルムを基材として製造され、そのＰＥＴフィルムの一面に離型処理が施されており、第１の実施形態の製造ライン５４０のように転写可能な粘着層を形成していないので、離型フィルムを必要としない。連続状キャリアフィルム１４は、キャリアフィルム供給装置５９０’から供給され、一対のキャリアフィルム貼合ローラ５９１’及び５９２’によって連続状偏光フィルム１１の粘着層に剥離自在に積層される。第２の実施形態の装置５００’の製造ライン５５０は、第１の実施形態の装置５００と同じ構成及び機能を有しているので、ここでは説明を省略する。
【００６７】
３．情報格納読出演算システムを用いた液晶表示素子の連続製造
図１０は、本発明の一実施形態に係る、図５又は図７に示される装置において生成された識別標識２０が付与された連続状検査済み光学フィルム１０の積層体ロールＲと、欠点情報８０を記憶させた情報格納媒体８００及び／又は記憶装置４１０と、連続状検査済み光学フィルム１０に切り込みを入れる位置を演算する切断位置演算手段４１５とを含む情報格納読出演算システムを示す模式図である。ここで、図４のフロー図と関連させて、本発明の一実施形態に係る、情報格納読出演算システムを用いて液晶表示素子を連続製造する方法及び装置を説明する。
【００６８】
（識別標識２０が付与された連続状検査済み光学フィルム１０の繰出）
上述のようにして製造された積層体ロールＲは、液晶表示素子の連続製造装置１の光学フィルム供給装置１００の繰出装置に装着され、積層体ロールＲから連続状検査済み光学フィルム１０が繰り出される（図４のステップ１）。繰り出された光学フィルム１０の測長が、光学フィルム供給装置１００に別途設けられたエンコーダ１３１によって光学フィルムの繰出量から計算される（図４のステップ３）。測長データを算出するためのエンコーダは、光学フィルム供給装置１００の支架装置１１０に設けることもできる（図示せず）。エンコーダ１３１によって算出された測長データは、制御装置４００の記憶装置４２０に記憶されることが好ましい。
【００６９】
（識別標識２０の種類）
図１１には、本発明の一実施態様に係る、連続状検査済み光学フィルム１０に付与される識別標識２０の種類の例を示す。識別標識２０は、１次元コード、２次元コード、ＩＣタグなどを用いることができ、連続状検査済み光学フィルム１０を特定する識別情報、例えばロット番号などのデータを格納することができる。
【００７０】
（切断位置の演算）
積層体ロールＲから、識別標識２０が付与された連続状検査済み光学フィルム１０（以下、単に「連続状検査済み光学フィルム１０」という。）が連続的に繰り出される際に、連続状検査済み光学フィルム１０に付与された識別標識２０が識別標識読取装置１２０によって読み取られる（図４のステップ２）。次いで、識別標識２０の読み取りに応じて、情報格納媒体８００又は記憶装置４２０から欠点情報８０が読み出される。情報処理装置４１０の切断位置演算手段４１５が、読み出された欠点情報８０（具体的には、欠点の位置データ）とエンコーダ１３１により算出された測長データとを用いて、正常シート片Ｘαを画定する正常シート片切断位置と不良シート片Ｘβを画定する不良シート片切断位置とを演算する。
【００７１】
切断位置演算手段４１５は、欠点の位置と連続状検査済み光学フィルム１０の測長データとに基づいて、連続状検査済み光学フィルム１０に形成される切込線の位置(切断位置)の情報（以下、「切断位置情報」という）を以下のように求める。なお、切込線は、液晶表示素子を製造する際に、切断装置１５０が、供給される連続状検査済み光学フィルム１０の送り方向に対して横方向に、連続状キャリアフィルムの反対側から連続状キャリアフィルムの粘着層側の面に達する深さまで、該光学フィルムに切り込みを入れることによって、形成される。このような切断方法は、ハーフカットと呼ばれることもある。生成された切断位置情報は、記憶装置４２０に記憶されることが好ましい。
【００７２】
光学フィルムの上流側の切込線とその切込線から所定の距離だけ下流側に離れた切込線との２箇所の切込線によって形成される領域には、貼り合わされる液晶パネルの辺の長さによって決まる定尺長さを有する欠点を含まない偏光フィルムの正常領域と、通常は定尺長さより短くされた欠点を含む偏光フィルムの不良領域とがある。切断装置１５０により２箇所の切込線によって形成された偏光フィルム１１の不良領域は、不良シート片排除装置１９０によって連続状検査済み光学フィルム１０（具体的には連続状キャリアフィルム１４）から排除される不良シート片Ｘβになる。同様に、正常領域は、連続状検査済み光学フィルム１０（具体的には連続状キャリアフィルム１４）から剥離され、貼合装置２００によって液晶パネルの一方の側に貼り合わされる正常シート片Ｘαになる。
【００７３】
図１２は、供給される連続状検査済み光学フィルム１０について、不良領域と正常領域とを区分する切断位置を算出する方法を示す模式図である。図１３〜図１５は、供給される連続状検査済み光学フィルム１０の切断位置を算出するための異なる方法を示すフロー図である。また、図１６〜図１８は、これらの異なる方法によって演算された結果としての切断位置情報がどのように決定されるかを表す図である。
【００７４】
以下、図１２〜図１８を用いて、切断位置情報の演算方法を詳細に説明する。まず、上述のように、連続状検査済み光学フィルム１０が繰り出され(図１３のステップ１、光学フィルムに付与された識別標識２０が識別標識読取装置１２０によって読み取られる（図１３のステップ２）。また、連続状検査済み光学フィルム１０の繰り出し量から測長データが得られる。識別標識２０の読み取りに応じて、情報処理装置４１０は、情報格納媒体８００又は記憶装置４２０から対応する欠点情報８０を読み出す。
【００７５】
次いで、図１３のステップ３及びステップ４において、切断位置演算手段４１５は、読み出された欠点情報８０と測長データとに基づいて、光学フィルムのシート片の長さと正常領域に相当する長さｘαとを比較する。まず、ステップ３において、切断位置演算手段４１５は、連続状検査済み光学フィルム１０のある位置（例えば、図１２においてＡとして示される位置である。この位置は、第１の切断位置とする）から欠点位置までの距離Ｘを演算する。次にステップ４において、切断位置演算手段４１５は、距離ｘから正常領域に相当する長さｘαを差し引いた距離（ｘ−ｘα）＝ｘ’を演算する。連続状検査済み光学フィルム１０の正常領域に相当する長さｘαは、液晶パネルの大きさに基づいてシステム管理者が設定し、予め記憶装置４２０に記憶させておく。次に切断位置演算手段４１５は、演算された距離ｘ’が、予め記憶装置４２０に記憶させた光学フィルムの正常領域に相当する長さｘαよりも大きいか又は小さいかを判定する。
【００７６】
ｘ’＞ｘαのときには、連続状検査済み光学フィルム１０上に正常領域Ｘαを確保することができる（ステップ５）。したがって、切断位置演算手段４１５は、位置Ａ（第１の切断位置）から連続状検査済み光学フィルム１０の上流側にｘαだけ離れた位置Ｂを、正常領域に相当する正常シート片Ｘαを形成するための次の切断位置（第２の切断位置）として決定する（ステップ６）。同様に、切断位置演算手段４１５は、第２の切断位置Ｂから正常領域に相当する長さｘαを差し引いた長さを計算し、その長さがｘαより大きい場合には、第２の切断位置Ｂから光学フィルムの上流側にｘαだけ離れた位置Ｃを第３の切断位置として決定し、さらに次の位置Ｄを同様に第４の切断位置として決定する。
【００７７】
一方、ｘ’≦ｘαのとき、すなわち図１２に示されるｘ’’’≦ｘαのときには、連続状検査済み光学フィルム１０上に正常領域Ｘαを確保することができない。この場合には、切断位置演算手段４１５は、ｘ’’’に所定の寸法ｘ０を加算して不良領域Ｘβに相当する長さ（ｘ’’’＋ｘ０）＝ｘβを算出する。すなわち、位置Ｄから連続状検査済み光学フィルム１０上の上流側にｘβだけ離れた位置Ｅが、光学フィルムの不良領域に相当する不良シート片Ｘβを形成するための切断位置として決定される（ステップ６）。
【００７８】
以上をまとめると、切断位置演算手段４１５は、識別標識２０の読み取りに応じて情報格納媒体８００又は記憶装置４２０から読み出された対応する欠点情報８０と、連続状検査済み光学フィルム１０の繰り出し量から算出された測長データとから、以下の（ａ）及び（ｂ）、すなわち、
（ａ）ｘ’＞ｘαのとき、次の切断位置までの距離＝ｘα
（ｂ）ｘ’≦ｘαのとき、次の切断位置までの距離＝（ｘ’＋ｘ０）＝ｘβ
を演算し、この位置を次の切断位置として決定する。
【００７９】
ところで、切断位置演算手段４１５によって演算が行われた結果、不良領域に相当する長さ（ｘ’＋ｘ０）＝ｘβが正常領域に相当する長さｘαに等しい値、すなわち（ｘ’＋ｘ０）＝ｘαのときには、情報処理装置４１０は、正常領域Ｘαと不良領域Ｘβとを識別又は選別することができない。すなわち、不良領域が不良領域Ｘβとして認識されないため、情報処理装置４１０は、その領域が正常領域Ｘα又は不良領域Ｘβのいずれであるかを判定することができないことが考えられる。このような事態は、連続状検査済み光学フィルム１０の内在する欠点の位置が、光学フィルムの次の切断位置に限りなく近い場合、又は、正常領域に相当する長さｘαにわたって欠点が連続的に分布する場合に想定される。したがって、（ｘ’＋ｘ０）＝ｘαとなったときに、情報処理装置４１０が、少なくとも下記のいずれかの方法に基づいて、正常領域Ｘαと不良領域Ｘβとを識別又は選別できるような情報処理を行うようにすることが好ましい。
【００８０】
上述の（ｂ）の場合において、切断位置演算手段４１５によって演算された次の切断位置までの距離（ｘ’＋ｘ０）が正常領域に相当する長さｘαになっても、その領域は正常領域Ｘαではない。このことを認識するために、本発明の一実施形態においては、図１３のステップ５に示されるように、正常領域と不良領域とをそれぞれ表すデータが切断位置情報と関連付けられる。例えば、切断位置演算手段４１５による演算の結果（ｘ’＋ｘ０）＝ｘαとなった場合には、情報処理装置４１０は、図１６に示されるように、当該切断位置又はその１つ前の切断位置のいずれかに、不良領域を表す値Ｘγ＝１を関連付ける。一方、それ以外の場合、すなわちｘ’＞ｘαの場合には、情報処理装置４１０は、当該切断位置又はその１つ前の切断位置のいずれかに、正常領域を表す値Ｘγ＝０を関連付ける。なお、ｘβ＜ｘαの場合にも、切断位置には不良領域を表す値Ｘγ＝１が関連付けられる。
【００８１】
本発明の別の実施形態において、演算された次の切断位置までの距離（ｘ’＋ｘ０）が正常領域に相当する長さｘαになった場合には、切断位置演算手段４１５は、図１４のステップ５に示されるように、次の切断位置が（ｘ’＋ｘ０’）（ｘ０’＞ｘ０）となるように演算結果を修正する。この方法は、図１７に示されるように、ｘαとは異なるｘβ＝（ｘ’＋ｘ０’）を計算することによって、（ｘ’＋ｘ０’）の長さの領域すなわち不良領域Ｘβと正常領域Ｘαとを識別又は選別することができるようにするものである。
【００８２】
本発明のさらに別の実施形態において、演算された次の切断位置までの距離（ｘ’＋ｘ０）が正常領域に相当する長さｘαになった場合には、切断位置演算手段４１５は、図１５のステップ５に示されるように、次の切断位置が（ｘ’＋ｘ０）／ｍ（ｍは２以上、好ましくは２又は３）となるように演算結果を修正する。この方法は、図１８に示されるように、ｘαとは異なるｘβ＝（ｘ’＋ｘ０）／ｍを計算することによって、（ｘ’＋ｘ０）／ｍの長さの領域すなわち不良領域Ｘβと正常領域Ｘαとを識別又は選別することができるようにするものである。
【００８３】
以上をまとめると、本発明においては、不良領域と正常領域とを識別又は選別するための情報を生成する方法として、例えば以下のいずれかの方法を用いることができる。
（１）（ｘ’＋ｘ０）の長さの不良領域Ｘβと正常領域Ｘαとを識別又は選別するための情報としてＸγを生成する方法
（２）ｘαとは異なる次の切断位置までの距離＝ｘ’＋ｘ０’（ｘ０’＞ｘ０）を生成する方法
（３）ｘαとは異なる次の切断位置までの距離＝（ｘ’＋ｘ０）／ｍ（ｍは２以上）を生成する方法
特に、（２）又は（３）の方法が採用された場合には、（ｘ’＋ｘ０）＝ｘαが、切断位置演算手段４１５による修正の結果、（ｘ’＋ｘ０’）≠ｘα又は（ｘ’＋ｘ０）／ｍ≠ｘαとなるため、これらの切断位置情報自体が、正常領域Ｘαと識別又は選別される不良領域Ｘβを表す情報（すなわち、（１）の方法におけるＸγに相当する情報）として機能することになる。
【００８４】
切断位置が決定されると、次に、ステップ７において、情報処理装置４１０は、（１）の場合には、決定された次の切断位置までの長さを情報Ｘγと関連付けて記憶装置４２０に記憶する。上記（２）又は（３）の場合には、情報処理装置４１０は、ステップ６において決定された次の切断位置までの長さを記憶装置４２０に記憶させる。
【００８５】
（切込線の形成）
識別標識読取装置１２０によって識別標識２０が読み取られた後、連続状検査済み光学フィルム１０は切断ステーションＡに送られる。切断装置１５０は、図４のステップ５において、切断位置演算手段４１５によって決定された切断位置情報と光学フィルムの測長データとに基づいて、光学フィルムに切込線を順次形成する（すなわち、切断装置１５０は、光学フィルムをハーフカットする）。切断装置１５０として、例えば、レーザ切断装置、カッター装置などといった公知の装置を用いることができる。
【００８６】
（切断位置の確認）
切断ステーションＡにおいては、切断位置情報に基づいて切断装置１５０が光学フィルムに横方向に順次切込線を形成する。しかしながら、順次形成される切込線の位置が正確でなければ、液晶表示素子の製品精度を高めることは難しい。したがって、液晶表示素子の連続製造においては、切込線を光学フィルム上に正確に形成することが重要である。
【００８７】
図１９は、切断位置確認装置１６０の動作（図４のステップ６）を表す模式図である。切断位置確認装置１６０は、連続状検査済み光学フィルム１０に、その送り方向に対して横方向に形成された切込線の実際の位置と、切断位置演算手段４１５によって演算された切断位置との間のズレを確認する。切断位置確認装置１６０は、連続状検査済み光学フィルム１０の送り方向にみて切断装置１５０を挟んで上流側と下流側とに設けられる。下流側の切断位置確認装置１６０のさらに下流側にはフィードローラを含むフィルム供給装置１７０が設けられ、それによって、切込線が形成される際にごく一時的に停止された連続状検査済み光学フィルム１０の供給が再開される。一方、上流側の切断位置確認装置１６０のさらに上流側にはアキュームローラを含む速度調整装置１４０が設けられ、それによって、切込線が形成される際に連続状検査済み光学フィルム１０の搬送が一時的に停止されても、フィードローラを含むフィルム供給装置１３０による光学フィルムの供給が維持される。
【００８８】
連続状検査済み光学フィルム１０の送り方向に対して横方向に形成された切込線の位置が、切断位置演算手段４１５によって算出された切断位置と一致しているかどうかの確認は、連続状検査済み光学フィルム１０の流れ方向（Ｘ方向）及び横断方向（Ｙ方向）の正確な位置を求めることによって行うことができる。好ましくは、確認は、切断位置を前後に挟む２箇所で、実際の切断位置及び光学フィルムのエッジ（側端部）位置とそれぞれの位置における基準線との間のＸ方向及びＹ方向のズレを計測することによって行われる。例えば、ＣＣＤカメラを含む切断位置確認装置１６０によって、連続状検査済み光学フィルム１０の切断位置及びエッジ位置を撮影し、画像化する。撮影範囲内には、予めそれぞれの基準線が設けられている。基準線は、切断位置演算手段４１５によって算出された切断位置を示す線である。連続状検査済み光学フィルム１０の切断位置及びエッジ位置は、撮影された画像内のコントラスト差によって判定される。次に、予め設定されている基準線と切断位置及びエッジ位置との距離（ズレ）が算出され、算出された距離（ズレ）に基づき、切断装置１５０の位置及び角度が補正される。
【００８９】
具体的には、形成された切込線の位置と切断位置演算手段４１５によって決定された切断位置との間のズレを確認する検査は、一例として以下に示す手順によって行われる。
（１）切断位置と、２箇所のエッジ位置とをＣＣＤカメラを含む切断位置確認装置１６０によって撮影し、画像内のコントラスト差によって切断位置Ｘ及びエッジ位置Ｙ１、Ｙ２を取得する。
（２）Ｘ方向にみて上流側における切断位置確認装置１６０の撮影範囲内に予め設定されたＹ方向に延びる基準線と、Ｘ方向にみて下流側における切断位置確認装置１６０の撮影範囲内に予め設定されたＹ方向に延びる基準線との中間位置に、Ｙ方向に延びる切断基準位置１６５が予め設定されており、上流側の基準線と下流側の基準線との間の距離γが、予め記憶装置４２０に記憶されている。また、Ｘ方向にみて下流側におおける切断位置確認装置１６０の撮影範囲内に、Ｘ方向に延びる基準線が予め設定されている。
（３）取得された切断位置Ｘ及びエッジ位置Ｙ１、Ｙ２と、上記基準線とに基づいて、切断位置の補正量αと切断角度の補正量δとが算出される。切断位置の補正量αは、計測されたズレ量α、すなわち、切断位置Ｘと下流側のＹ方向に延びる基準線との間のズレ量αである。切断角度の補正量δは、連続状検査済み光学フィルム１０のエッジ位置からの距離によって計測されたＹ方向の２箇所のズレ量である、Ｘ方向に延びる下流側の基準線及び上流側の基準線からのズレ量β１、β２と、両基準線間の距離γとに基づき、以下の式によって算出することができる。
【数１】
2011085631.tif 000003
（４）算出されたデータに基づき、Ｙ方向に延びる切断位置の基準線に合うようにδ分の角度補正とＸ方向のα分の位置補正とを切断装置１５０に指示する補正量α及びδが、記憶装置４２０に記憶される。
（５）切断装置１５０は、記憶された補正量α及びδに基づいて、次の切込線を形成するときに切込線と基準線とが一致するように、送り方向の補正と送り方向に対して横方向の角度補正とを補正する。
（６）最後に、切断装置１５０は、連続状検査済み光学フィルム１０に次の切込線を形成するように動作する。
【００９０】
（不良シート片の排除）
切断装置１５０によって切込線が形成された後、連続状検査済み光学フィルム１０は排除ステーションＣに送られる。排除ステーションＣに送られてくる連続状検査済み光学フィルム１０の連続状キャリアフィルム１４上には、切込線によって切断された偏光フィルム１１の正常シート片Ｘαと不良シート片Ｘβとが剥離自在に積層されている。排除ステーションＣの不良シート片排除装置１９０は、連続状検査済み光学フィルム１０に含まれる不良シート片Ｘβを識別又は選別して、連続状キャリアフィルム１４から剥離し排除する（図４のステップ９）。図２０（１）及び図２０（２）は、不良シート片Ｘβを識別又は選別して動作する不良シート片排除装置１９０を示す。不良シート片排除装置１９０は、図１３及び図１６に示されるような不良シート片の識別情報Ｘγに基づいて、不良シート片Ｘβのみを正常シート片Ｘαと識別又は選別するか、又は、図１４、図１５、図１７、及び図１８に示されるように正常シート片Ｘαと不良シート片Ｘβとの長さに基づいて、不良シート片Ｘβを識別又は選別することもできる。
【００９１】
図２０（１）の不良シート片排除装置１９０は、連続状キャリアフィルム１４に剥離自在に積層された不良シート片Ｘβを貼り付けて、連続状キャリアフィルム１４から剥離する機能を有するダミーフィルム駆動装置１９１と、不良シート片Ｘβが光学フィルムの搬送経路における排除始点に到達した際に作動する移動装置１９２とを含む。移動装置１９２は、連続状検査済み光学フィルム１０を移動させて、ダミーフィルム駆動装置１９１のダミーフィルム搬送経路に接離可能にする装置である。
【００９２】
図２０（２）の不良シート片排除装置１９０は、貼合ステーションＢにおいて、一対の貼合ローラを含む貼合装置２００と連動して動作する装置であり、不良シート片Ｘβを貼り付けて連続状キャリアフィルム１４から剥離する機能を有するダミーフィルム駆動装置１９１と、該ダミーフィルム駆動装置１９１のダミーフィルム搬送経路を構成する移動ローラ１９２とを含む。図２０（２）の装置が図２０（１）の装置と異なる点は、図２０（２）の装置は、貼合ステーションＢにおいて、貼合装置２００に含まれる一対の貼合ローラに近接して配置されたダミーフィルム搬送経路を構成する移動ローラ１９２を貼合装置２００の貼合ローラと連動させるようにしたことである。具体的には、貼合ステーションＢにおいて、制御装置４００は、不良シート片Ｘβが光学フィルムの搬送経路の終点（すなわち排除始点）に到達した際に一対の貼合ローラを離間させ、さらにダミーフィルム搬送経路を構成する移動ローラ１９２を離間された貼合ローラ間の間隙に移動させ、移動ローラ１９２を貼合ローラの一方のローラと置換することによって、移動ローラ１９２と貼合ローラの他方のローラとを連動させる。そのときに、キャリアフィルム巻取駆動装置２１０によって連続状キャリアフィルム１４が巻き取られているので、連続状キャリアフィルム１４上から不良シート片Ｘβが剥離され、剥離された不良シート片Ｘβが貼合ローラの他方のローラと連動する移動ローラ１９２によってダミーフィルム搬送経路に貼り付られ、排除される。
【００９３】
（液晶パネルの搬送及び正常シート片との貼り合わせ）
排除ステーションＣにおいて不良シート片Ｘβが除去され、連続状キャリアフィルム１４上に正常シート片Ｘαのみが存在する連続状検査済み光学フィルム１０は、次に、貼合ステーションＢに送られる。図２０（２）の排除装置を採用する別の実施形態においては、連続状キャリアフィルム１４上に正常シート片Ｘαと不良シート片Ｘβが形成された光学フィルムが、貼合ステーションＢに送られる。ここでは、前者の実施形態について液晶パネルと正常シート片Ｘαとの貼り合わせを説明するが、後者の実施形態についても、貼合ステーションＢにおいて不良シート片Ｘβが排除されることを除いて、前者の実施形態と同様である。図２１は、液晶パネル搬送装置３００に含まれるプリアライメント装置３１０、アライメント装置３２０、貼合位置への搬送装置３３０、及び液晶パネルエッジ検出装置３４０の各装置によって、姿勢が制御された液晶パネルＷが貼合位置に搬送されることを表す図である。また、図２２は、正常シート片Ｘαの先端のエッジ部分を検知するエッジ検出装置２２０と、正常シート片Ｘαから連続状キャリアフィルム１４を鋭角に剥離する剥離板２１１とを含む、正常シート片Ｘαと液晶パネルＷとの貼合装置２００を表す。
【００９４】
液晶パネルＷは、供給装置によって多数の液晶パネルを収容するマガジンから一枚毎に取出され、例えば、洗浄／研磨を経て、図２１に示されるように、搬送装置３００によって一定間隔及び一定速度に調整されて、貼合ステーションＢの貼合装置２００まで搬送される。搬送装置３００は、図２１に示されるように、プリアライメント装置３１０、アライント装置３２０、貼合装置への搬送装置３３０及び液晶パネルＷの先端のエッジ部分を検出するエッジ検出装置３４０とからなる液晶パネル姿勢制御装置を含む。搬送装置３００は、正常シート片Ｘαが貼合ステーションＢに送り込まれるときに、正常シート片Ｘαの送り込みに同期して液晶パネルＷの姿勢を制御する。
【００９５】
連続状キャリアフィルム１４上の正常シート片Ｘαは、好ましくは、搬送速度が一定に調整されて貼合ステーションＢの貼合装置２００まで供給される。貼合ステーションＢにおいては、図２１又は図２２に示されるように、連続状キャリアフィルム１４を剥離板２１１によって鋭角に折り返すことによって、正常シート片Ｘαが剥離される。連続状キャリアフィルム１４を鋭角に折り返すによって、正常シート片Ｘαの粘着層を徐々に露出させることができる。この結果、正常シート片Ｘαの先端のエッジ部分が僅かに露出され、先端のエッジ部分と液晶パネルＷの先端のエッジ部分との位置合わせが容易になる。
【００９６】
正常シート片Ｘαの先端のエッジ部分は、貼合装置２００の一対の貼合ローラが上下方向に離間したときの間隙に現れる。正常シート片Ｘαは、連続状キャリアフィルム１４に積層された状態で送られてくるが、連続状キャリアフィルム１４の長手方向に対する送り方向の角度θが０になるように正確に送られてくることは少ない。そこで、例えばエッジ検査装置２２０及び直進位置検出装置２３０のＣＣＤカメラで正常シート片Ｘαを撮影し画像化することによって、正常シート片Ｘαの送り方向及び横方向のズレが、長手方向の距離ｘ、長手方向と直交する方向の距離ｙ、及び長手方向に対する角度θを用いて算出される（図４のステップ１０）。
【００９７】
一方、液晶パネルＷは、搬出装置から一定間隔及び一定速度で順次供給され、一枚毎に送られてくる液晶パネルＷは、図２１に示される液晶パネル搬送装置３００によって姿勢制御される。この姿勢制御について、図２１を参照しながら説明する。
【００９８】
液晶パネルＷは、プリアライメント装置３１０によって、順次、その縦及び横が搬送経路の送り方向及びそれに直交する方向に揃うように、大まかに位置決めされる（図４のステップ１２）。次いで、液晶パネルＷは、回動するアライメント台３２１を含むアライメント装置３２０に搬送される。アライメント台３２１に搭載された液晶パネルＷの先端のエッジ部分が、エッジ検出装置３４０によって検出される（図４のステップ１３）。先端のエッジ部分の位置が、記憶装置４２０に記憶されている基準貼合位置、具体的には正常シート片Ｘαの姿勢を表すｘ、ｙ、θを用いて算出されたデータと、照合される。例えば、図１に示される液晶パネルＷのアライメントマークを用いて、その位置と基準貼合位置との間の位置ズレ量が測定され、ズレ角θが演算されて、アライメント台３２１が角度θだけ回動される（図４のステップ１４）。次に、アライメント台３２１は、貼合ステーションＢへの搬送装置３３０に接続される。液晶パネルＷは、貼合ステーションＢへの搬送装置３３０によってそのままの姿勢で貼合装置２００に送られ、液晶パネルＷの先端のエッジ部分と偏光フィルムの正常シート片Ｘαの先端のエッジ部分とが位置合わせされて、重ねられる（図４のステップ１５）。最後に、位置合わせされた正常シート片Ｘαと液晶パネルＷとが一対の貼合ローラによって圧接されて（図４のステップ１６）、液晶表示素子が完成する。
【００９９】
本発明に係る方法及び装置においては、正常シート片Ｘαは、テンション状態で供給される連続状検査済み光学フィルム１０によって連続状キャリアフィルム１４と一体で液晶パネルＷとの貼合装置２００まで供給されるので、正常シート片Ｘαの周縁が湾曲したり垂れたりしにくく、したがって正常シート片Ｘαに撓みや反りが生じない。そのため、このことによって、液晶パネルＷの姿勢を貼合ステーションＢに送り込まれる正常シート片Ｘαに合わせることが容易になり、液晶表示素子製造の高速化及び液晶表示素子の高精度化が可能になる。こうした方法及び装置は、枚葉型シート片製造方法及び装置のように、枚葉型シート片一枚毎にセパレータを剥離した後に粘着層を露出させ、液晶パネルＷとの貼合位置まで吸着搬送し、液晶パネルＷに位置合わせし、重合わせ、貼り合わせて液晶表示素子を完成させる場合には、到底、採用することができない。
【０１００】
本発明は、好ましい実施形態に関連して記載されたが、当業者であれば、本発明の範囲から逸脱することなく、様々な変更がなされ、均等物がそれについての要素に代替され得ることが理解されるであろう。したがって、本発明は、本発明を実施するために考慮された最良の実施態様として開示された特定の実施態様に限定されるものではなく、特許請求の範囲に属する全ての実施形態を含むものであることが意図される。
【符号の説明】
【０１０１】
１  液晶表示素子の連続製造装置
１０  連続状検査済み光学フィルム
１０’、  連続状仮光学フィルム
１１  粘着層含む連続状偏光フィルム
１１’  粘着層が未だ形成されていない連続状偏光フィルム
１２  粘着層
１３  連続状表面保護フィルム
１４  連続状キャリアフィルム
１４’  連続状仮キャリアフィルム
２０  識別標識
８０  切断位置情報
１００  光学フィルム供給装置
１１０  支架装置
１２０  識別標識読取装置
１３０、１７０  フィルム供給装置
１３１  エンコーダ
１４０、１８０  速度調整装置
１５０  切断装置
１６０  切断位置確認装置
１９０  不良シート片排除装置
２００  貼合装置
２１０  キャリアフィルム巻取駆動装置
２２０  エッジ検出装置
２３０  直進位置検出装置
３００  液晶パネル搬送装置
４００  制御装置
４１０  情報処理装置
４１５  切断位置演算手段
４２０  記憶装置
５００  第１の実施形態に係る情報格納読出システムに用いられる積層体ロールを製造する装置
５００’  第２の実施形態に係る情報格納読出システムに用いられる積層体ロールを製造する装置
５１０  偏光子の製造ライン
５１０’  仮光学フィルム供給ライン
５２０  保護フィルムの製造ライン
５２０’  露出された粘着層を含む偏光フィルムの供給ライン
５３０  連続状偏光フィルムの検査ライン
５３０’  粘着層を含む連続状偏光フィルムの検査ライン
５４０、５４０’  識別標識を付与した連続状検査済み光学フィルムの製造ライン
５５０  積層体ロールＲの製造ライン
５６０  貼合駆動装置
５６０’  仮光学フィルム供給駆動装置
５７０、５７０’  エンコーダが組み込まれた測長装置
５８０  検査装置
５８１  画像読取装置
５９０、５９０’  キャリアフィルム供給装置
６２０  識別標識印字装置
６３０  巻取駆動装置
６４０  表面保護フィルム貼合装置
６５０  仮キャリアフィルム巻取駆動装置
７００  制御装置
７１０  情報処理装置
７２０  記憶装置
８００  情報格納媒体
【図１】
2011085631.tif 000004
【図２】
2011085631.tif 000005
【図３】
2011085631.tif 000006
【図４】
2011085631.tif 000007
【図５】
2011085631.tif 000008
【図６】
2011085631.tif 000009
【図７】
2011085631.tif 000010
【図８】
2011085631.tif 000011
【図９】
2011085631.tif 000012
【図１０】
2011085631.tif 000013
【図１１】
2011085631.tif 000014
【図１２】
2011085631.tif 000015
【図１３】
2011085631.tif 000016
【図１４】
2011085631.tif 000017
【図１５】
2011085631.tif 000018
【図１６】
2011085631.tif 000019
【図１７】
2011085631.tif 000020
【図１８】
2011085631.tif 000021
【図１９】
2011085631.tif 000022
【図２０】
2011085631.tif 000023
【図２１】
2011085631.tif 000024
【図２２】
2011085631.tif 000025
【手続補正書】
【提出日】平成22年3月10日(2010.3.10)
【手続補正１】
【補正対象書類名】明細書
【補正対象項目名】００２２
【補正方法】変更
【補正の内容】
【００２２】
本発明の第１の態様は、液晶表示素子を連続製造する装置において用いられる情報格納読出演算システムを提供する。本情報格納読出演算システムは、所定寸法に形成された液晶パネルの長辺又は短辺に合わせた幅を有する粘着層を含む連続状偏光フィルムと前記粘着層に剥離自在に積層された連続状キャリアフィルムとを含む連続状光学フィルムの積層体ロールから、液晶パネルの長辺又は短辺に対応する所定長さに切り出されたシート片を液晶パネルに貼り合せて液晶表示素子を連続製造する装置において用いられる情報格納読出演算システムである。本情報格納読出演算システムは、連続状光学フィルムに含まれる連続状偏光フィルムの検査によって検出された欠点の位置情報を記憶させた情報格納媒体と、識別標識を付与した連続状検査済み光学フィルムの積層体ロールと、識別標識に基づいて情報格納媒体から読み出される欠点の位置情報と積層体ロールから連続状検査済み光学フィルムが繰り出されるときの繰出量に基づいて算出される測長データとを用いて、欠点を含む不良シート片を画定する不良シート片切断位置と欠点を含まない正常シート片を画定する正常シート片切断位置とを決定する、切断位置演算手段と、を含むことを特徴とする。本情報格納読出演算システムを用いることによって、液晶表示素子を連続製造する装置において、演算された不良シート片切断位置及び正常シート片切断位置に基づいて、連続状検査済み光学フィルムに、連続状キャリアフィルムとは反対の側から連続状キャリアフィルムの粘着層側の面に達する深さまで、連続状検査済み光学フィルムの送り方向に対して直角方向に切り込みを入れ、正常シート片を切り出すことができるようになる。
【手続補正２】
【補正対象書類名】明細書
【補正対象項目名】００２４
【補正方法】変更
【補正の内容】
【００２４】
本発明の第２の態様は、液晶表示素子を連続製造する装置において用いられる情報格納読出演算システムを製造する方法を提供するものである。本方法は、所定寸法に形成された液晶パネルの長辺又は短辺に合わせた幅を有する粘着層を含む連続状偏光フィルムと前記粘着層に剥離自在に積層された連続状キャリアフィルムとを含む連続状光学フィルムの積層体ロールから、長手方向に対して直角方向の線に沿って切り込むことにより液晶パネルの長辺又は短辺に対応する所定長さに切り出されたシート片を液晶パネルに貼り合せて液晶表示素子を連続製造する装置に用いられる。本方法は、連続状偏光子の少なくとも一面に連続状保護フィルムを積層して連続状偏光フィルムを製造し、連続状偏光フィルムを検査して連続状偏光フィルムに内在する欠点を検出し、連続状偏光フィルムに粘着層を介して連続状キャリアフィルムを剥離自在に積層することによって連続状検査済み光学フィルムを製造し、連続状検査済み光学フィルムを識別するための識別標識を生成して連続状検査済み光学フィルムに付与し、識別標識が付与された連続状検査済み光学フィルムをロール状に巻き取ることによって、識別標識が付与された連続状検査済み光学フィルムの積層体ロールを製造するステップと、検査によって検出された欠点の位置情報を、予め準備された情報格納媒体に記憶させて、欠点の位置情報が記憶された情報格納媒体を製造するステップと、識別標識に基づいて情報格納媒体から読み出される欠点の位置情報と積層体ロールから連続状検査済み光学フィルムが繰り出されるときの繰出量に基づいて算出される測長データとを用いて、欠点を含む不良シート片を画定する不良シート片切断位置と欠点を含まない正常シート片を画定する正常シート片切断位置とを決定するように構成された切断位置演算手段を提供するステップと、を含む。
【手続補正３】
【補正対象書類名】明細書
【補正対象項目名】００２７
【補正方法】変更
【補正の内容】
【００２７】
本発明の第３の態様は、液晶表示素子を連続製造する装置において用いられる情報格納読出演算システムを製造する他の方法を提供する。本方法は、所定寸法に形成された液晶パネルの長辺又は短辺に合わせた幅を有する粘着層を含む連続状偏光フィルムと粘着層に剥離自在に積層された連続状キャリアフィルムとを含む連続状光学フィルムの積層体ロールから、長手方向に対して直角方向の線に沿って切り込むことにより液晶パネルの長辺又は短辺に対応する所定長さに切り出されたシート片を液晶パネルに貼り合せて液晶表示素子を連続製造する装置において用いられる。本方法は、粘着層を含む連続状偏光フィルムと前記粘着層に剥離自在に積層された連続状仮キャリアフィルムとを含む連続状仮光学フィルムのロールを準備し、該ロールから連続状仮光学フィルムを繰り出しながら連続状仮キャリアフィルムを剥離して粘着層を含む連続状偏光フィルムを露出させ、露出された粘着層を含む連続状偏光フィルムを検査して粘着層を含む連続状偏光フィルムに内在する欠点を検出し、連続状偏光フィルムの露出された粘着層に連続状キャリアフィルムを剥離自在に積層して連続状検査済み光学フィルムを製造し、連続状検査済み光学フィルムを識別するための識別標識を生成して連続状検査済み光学フィルムに付与し、識別標識が付与された連続状検査済み光学フィルムをロール状に巻き取ることによって、識別標識が付与された連続状検査済み光学フィルムの積層体ロールを製造するステップと、検査によって検出された欠点の位置情報を、予め準備された情報格納媒体に記憶させて、欠点の位置情報が記憶された情報格納媒体を製造するステップと、識別標識に基づいて情報格納媒体から読み出される欠点の位置情報と積層体ロールから連続状検査済み光学フィルムが繰り出されるときの繰出量に基づいて算出される測長データとを用いて、欠点を含む不良シート片を画定する不良シート片切断位置と欠点を含まない正常シート片を画定する正常シート片切断位置とを決定するように構成された切断位置演算手段を提供するステップと、を含む。
【手続補正４】
【補正対象書類名】特許請求の範囲
【補正対象項目名】請求項１
【補正方法】変更
【補正の内容】
【請求項１】
所定寸法に形成された液晶パネルの長辺又は短辺に合わせた幅を有する粘着層を含む連続状偏光フィルムと前記粘着層に剥離自在に積層された連続状キャリアフィルムとを含む連続状光学フィルムの積層体ロールから液晶パネルの長辺又は短辺に対応する所定長さに切り出されたシート片を液晶パネルに貼り合せて液晶表示素子を連続製造する装置において用いられる情報格納読出演算システムであって、
連続状光学フィルムに含まれる連続状偏光フィルムの検査によって検出された欠点の位置情報を記憶させた情報格納媒体と、
識別標識が付与された連続状検査済み光学フィルムの積層体ロールと、
前記識別標識に基づいて前記情報格納媒体から読み出される前記欠点の位置情報と、前記積層体ロールから前記連続状検査済み光学フィルムが繰り出されるときの繰出量に基づいて算出される測長データとを用いて、欠点を含む不良シート片を画定する不良シート片切断位置と欠点を含まない正常シート片を画定する正常シート片切断位置とを決定する、切断位置演算手段と、
を含み、それにより、
液晶表示素子を連続製造する装置において、前記不良シート片切断位置及び前記正常シート片切断位置に基づいて、前記連続状検査済み光学フィルムに連続状キャリアフィルムとは反対の側から連続状キャリアフィルムの粘着層側の面に達する深さまで、前記連続状検査済み光学フィルムの送り方向に対して直角方向に切り込みを入れて、正常シート片を切り出すことができるようにしたことを特徴とする、情報格納読出演算システム。
【手続補正５】
【補正対象書類名】特許請求の範囲
【補正対象項目名】請求項３
【補正方法】変更
【補正の内容】
【請求項３】
所定寸法に形成された液晶パネルの長辺又は短辺に合わせた幅を有する粘着層を含む連続状偏光フィルムと前記粘着層に剥離自在に積層された連続状キャリアフィルムとを含む連続状光学フィルムの積層体ロールから、長手方向に対して直角方向の線に沿って切り込むことにより液晶パネルの長辺又は短辺に対応する所定長さに切り出されたシート片を液晶パネルに貼り合せて液晶表示素子を連続製造する装置において用いられる情報格納読出演算システムを製造する方法であって、
連続状偏光子の少なくとも一面に連続状保護フィルムを積層して連続状偏光フィルムを製造し、連続状偏光フィルムを検査して連続状偏光フィルムに内在する欠点を検出し、連続状偏光フィルムに粘着層を介して連続状キャリアフィルムを剥離自在に積層することによって連続状検査済み光学フィルムを製造し、前記連続状検査済み光学フィルムを識別するための識別標識を生成して前記連続状検査済み光学フィルムに付与し、前記識別標識が付与された前記連続状検査済み光学フィルムをロール状に巻き取ることによって、識別標識が付与された連続状検査済み光学フィルムの積層体ロールを製造するステップと、
検査によって検出された欠点の位置情報を、予め準備された情報格納媒体に記憶させて、欠点の位置情報が記憶された情報格納媒体を製造するステップと、
前記識別標識に基づいて前記情報格納媒体から読み出される前記欠点の位置情報と、前記積層体ロールから前記連続状検査済み光学フィルムが繰り出されるときの繰出量に基づいて算出される測長データとを用いて、欠点を含む不良シート片を画定する不良シート片切断位置と欠点を含まない正常シート片を画定する正常シート片切断位置とを決定するように構成された切断位置演算手段を提供するステップと、
を含むことを特徴する方法。
【手続補正６】
【補正対象書類名】特許請求の範囲
【補正対象項目名】請求項６
【補正方法】変更
【補正の内容】
【請求項６】
所定寸法に形成された液晶パネルの長辺又は短辺に合わせた幅を有する粘着層を含む連続状偏光フィルムと前記粘着層に剥離自在に積層された連続状キャリアフィルムとを含む連続状光学フィルムの積層体ロールから、長手方向に対して直角方向の線に沿って切り込むことにより液晶パネルの長辺又は短辺に対応する所定長さに切り出されたシート片を液晶パネルに貼り合せて液晶表示素子を連続製造する装置において用いられる情報格納読出演算システムを製造する方法であって、
粘着層を含む連続状偏光フィルムと前記粘着層に剥離自在に積層された連続状仮キャリアフィルムとを含む連続状仮光学フィルムのロールを準備し、前記ロールから前記連続状仮光学フィルムを繰り出しながら前記連続状仮キャリアフィルムを剥離して前記粘着層を含む連続状偏光フィルムを露出させ、露出された前記粘着層を含む連続状偏光フィルムを検査して前記粘着層を含む連続状偏光フィルムに内在する欠点を検出し、前記連続状偏光フィルムの露出された粘着層に連続状キャリアフィルムを剥離自在に積層して連続状検査済み光学フィルムを製造し、前記連続状検査済み光学フィルムを識別するための識別標識を生成して前記連続状検査済み光学フィルムに付与し、前記識別標識が付与された前記連続状検査済み光学フィルムをロール状に巻き取ることによって、識別標識が付与された連続状検査済み光学フィルムの積層体ロールを製造するステップと、
検査によって検出された欠点の位置情報を、予め準備された情報格納媒体に記憶させて、欠点の位置情報が記憶された情報格納媒体を製造するステップと、
前記識別標識に基づいて前記情報格納媒体から読み出される前記欠点の位置情報と、前記積層体ロールから前記連続状検査済み光学フィルムが繰り出されるときの繰出量に基づいて算出される測長データとを用いて、欠点を含む不良シート片を画定する不良シート片切断位置と欠点を含まない正常シート片を画定する正常シート片切断位置とを決定するように構成された切断位置演算手段を提供するステップと、
を含むことを特徴する方法。
【手続補正７】
【補正対象書類名】図面
【補正対象項目名】図８
【補正方法】変更
【補正の内容】
【図８】
2011085631.tif 000026